(57)【要約】【課題】時間的制約のある働き手の空き時間を活用した就労を支援する求人情報提供サーバ等を提供する。【解決手段】  求人情報提供サーバは、求職者の少なくとも一日における就業可能時間帯を含むスケジュール関連情報を受領するとともに、求職者が操作する端末の操作に応答して、求人情報の提供要求を受領し、受領したスケジュール関連情報に基づき、求人データベースを参照して就業可能時間帯に対応する求人情報を抽出し、抽出された求人情報の中から、予め決められた情報を選択し、求職者が操作する端末で参照可能な求人情報として送出する。【選択図】図４
2019194823.tif 000002
【特許請求の範囲】
【請求項１】
少なくとも求人情報が格納された求人データベースを備え、求人情報を求職者が操作する端末で参照可能な形態で提供する求人情報提供サーバであって、
前記求職者の少なくとも一日における就業可能時間帯を含むスケジュール関連情報を受領するとともに、前記求職者が操作する端末の操作に応答して、求人情報の提供要求を受領し、
受領した前記スケジュール関連情報に基づき、前記求人データベースを参照して前記就業可能時間帯に対応する求人情報を抽出し、
前記抽出された求人情報の中から、予め決められた情報を選択し、前記求職者が操作する端末で参照可能な求人情報として送出する求人情報提供サーバ。
【請求項２】
前記求人データベースより抽出される前記就業可能時間帯に対応する求人情報は、前記求職者の通勤時間を考慮して、前記求人データベースを参照することにより抽出することを特徴とする請求項１記載の求人情報提供サーバ。
【請求項３】
前記スケジュール関連情報には、前記スケジュール関連情報に含まれる各スケジュールに対応する位置情報を含み、前記通勤時間は、前記位置情報並びに出勤及び退勤の移動手段に基づいて決定されることを特徴とする請求項２記載の求人情報提供サーバ。
【請求項４】
前記求人データベースより抽出される前記就業可能時間帯に対応する求人情報は、前記スケジュール関連情報に基づき前記求人データベースを参照することにより抽出し、前記抽出された求人情報の範囲において、前記求職者の前記通勤時間を考慮して、再度前記求人データベースを参照することにより抽出することを特徴とする請求項２又は請求項３記載の求人情報提供サーバ。
【請求項５】
前記求職者のスケジュール関連情報は、前記求職者が操作する端末で利用されているスケジュール管理機能のファイル形式と同一のファイル形式で受領することを特徴とする請求項１記載の求人情報提供サーバ。
【請求項６】
前記求職者が操作する端末で参照可能な求人情報として送出する求人情報は、前記求職者が操作する端末の画面に複数の求人情報が一覧表の形で表示可能となるように予め決められた情報を選択することで、各求人情報の情報量を制限して送出することを特徴とする請求項１記載の求人情報提供サーバ。
【請求項７】
前記求職者が操作する端末で参照可能な求人情報の中から、前記求職者が選択した前記求人情報の識別情報を受領し、前記求職者が選択した求人情報に関する詳細情報を前記求職者が操作する端末で参照可能に送出することを特徴とする請求項１の求人情報提供サーバ。
【請求項８】
前記求職者のスケジュール関連情報の少なくとも一部は、前記求職者が操作する端末で利用されているスケジュール管理機能と同期して受領することを特徴とする請求項１記載の求人情報提供サーバ。
【請求項９】
少なくとも表示装置及びスケジュール管理機能を備え、求人情報提供サーバに接続されて求職者が操作する端末のコンピュータに、
前記求職者の指示操作又は前記求人情報提供サーバからの要求に応じて、前記スケジュール管理機能により管理されているスケジュール関連情報を、予め決められたファイル形式で前記求人情報提供サーバに提供する手順と、
前記求人情報提供サーバから送出された複数の求人情報を前記表示装置に一覧表の形で表示する手順と、
前記複数の求人情報の中から選択した求人情報の識別情報を前記求人情報提供サーバに送出する手順と、
前記求人情報提供サーバから送出された前記選択した求人情報に関する詳細情報を前記表示装置に表示する手順を実行させる求人情報受領プログラム。
【請求項１０】
少なくとも求職情報が格納された求職データベースを備え、求職情報を求人者が操作する端末で参照可能な形態で提供する求職情報提供サーバであって、
前記求職情報の提供要求を受領するとともに、前記求人者が登録しようする求人時間帯情報を受領し、
前記求職者の少なくとも一日における就業可能時間帯を含むスケジュール関連情報が格納された求職データベースを参照して、前記求人時間帯情報に対応する求職情報を抽出し、前記抽出された求職情報の中から、予め決められた情報を選択し、前記求人者が操作する端末で参照可能な求職情報として送出する求職情報提供サーバ。
【請求項１１】
前記求職データベースより抽出される前記求人時間帯情報に対応する求職情報は、前記求職者の通勤時間を考慮して、前記求職データベースを参照することにより抽出することを特徴とする請求項１０記載の求職情報提供サーバ。
【請求項１２】
前記スケジュール関連情報には、前記スケジュール関連情報に含まれる各スケジュールに対応する位置情報を含み、前記通勤時間は、前記位置情報並びに出勤及び退勤の移動手段に基づいて決定されることを特徴とする請求項１１記載の求職情報提供サーバ。
【請求項１３】
前記求職データベースより抽出される前記求人時間帯情報に対応する求職情報は、前記スケジュール関連情報に基づき前記求職データベースを参照することにより抽出し、前記抽出された求職情報の範囲において、前記求職者の前記通勤時間を考慮して、再度前記求職データベースを参照することにより抽出することを特徴とする請求項１１又は請求項１２記載の求職情報提供サーバ。
【請求項１４】
前記求職者のスケジュール関連情報は、前記求職者が操作する端末で利用されているスケジュール管理機能のファイル形式と同一のファイル形式で受領することを特徴とする請求項１０記載の求職情報提供サーバ。
【請求項１５】
前記求職者のスケジュール関連情報の少なくとも一部は、前記求職者が操作する端末で利用されているスケジュール管理機能と同期して受領することを特徴とする請求項１０記載の求職情報提供サーバ。
【発明の詳細な説明】
【技術分野】
【０００１】  本発明は、求人情報提供サーバ及び／又は求職情報提供サーバ並びに求人情報プログラムに関する。
【背景技術】
【０００２】  ２１世紀は、開発途上地域を含む多くの国々において、少子高齢化の急速な進展が予測されており、労働力不足が懸念される中、未就労の女性、高齢者等の潜在的労働力の活用が課題となっている。【０００３】  近年、スマートフォン等の情報端末が広く普及し、求職者が仕事を探す際も、当該情報端末で希望条件を入力することで、場所を問わず求人先を検索することが可能になっている。当該情報端末は位置情報を取得可能であることから、位置情報を活用して「通勤時間」や「勤務場所」を表示する求人情報提供サービスも行われている。【０００４】  関連する公知技術として、求人マッチングシステムであって、求職者の位置情報を参照して、勤務場所までの距離が所定の範囲内の求職者端末に求人情報を配信し、応募してきた求職者について勤務場所までの距離の情報を加味して応募者の順位づけを行うものが知られている（特許文献１）。【０００５】  また、求人情報検索システムであって、自宅などの通勤拠点から所定移動時間内に通勤できる求人情報を出力する際に、通勤手段等（徒歩、車、電車など）を加味して所定の移動時間を決定することにより求人情報の検索範囲を的確に設定できる技術が知られている（特許文献２）。【０００６】  また、交通機関における各駅間の所要時間と、求人企業から最寄り駅までの所要時間のデータを蓄積し、求職者が設定する通勤時間に適合した求人を検索するシステムが知られている（特許文献３）。なお、このシステムでは、求職者が設定した通勤時間のデータを求人者側から検索することも可能としている。【０００７】  さらに、学生のスケジュールを登録することで、求人側が学生のスケジュールの空き時間を見て、アルバイトの予定を入力することができる求人システムが知られている（特許文献４）。
【先行技術文献】
【特許文献】
【０００８】
【特許文献１】特開２０１７−１１７３７５号公報
【０００９】
【特許文献２】特開２００８−９０６１４号公報
【００１０】
【特許文献３】特開２００２−２３０１３８号公報
【００１１】
【特許文献４】特開２００２−１４９８７９号公報
【発明の概要】
【発明が解決しようとする課題】
【００１２】  上述の特許文献１から特許文献４までに開示された求人システムでは、求職者が自分の空き時間に就業可能な求人情報を容易に得ることはできない。【００１３】  また、求人側が求人広告を行う場合は、求人事業所との距離が近い求職者だけでなく、就業可能な求職者に的を絞って確度の高いターゲティング広告を行いたいというニーズもある。【００１４】  本発明は、これらの事情に鑑みて創案されたものであり、柔軟な新しい働き方（雇用形態）の枠組みを提示するとともに、このような働き方をコンプライアンス面の対応を含め、実現可能とする機動的かつ永続的な人材マッチングの仕組みを整備することである。【００１５】  それにより、子育て中の女性、元気な高齢者等潜在的な働き手の就労ニーズを掘り起こすことによって、新たな労働市場を創造し、人手不足等社会課題の解決を実現するものである。
【課題を解決するための手段】
【００１６】  上述した課題を解決し、目的を達成するために、本発明の求人情報提供サーバは、少なくとも求人情報が格納された求人データベースを備え、求人情報を求職者が操作する端末で参照可能な形態で提供する求人情報提供サーバであって、前記求職者の少なくとも一日における就業可能時間帯を含むスケジュール関連情報を受領するとともに、前記求職者が操作する端末に応答して、求人情報の提供要求を受領し、受領した前記スケジュール関連情報に基づき、前記求人データベースを参照して前記就業可能時間帯に対応する求人情報を抽出し、前記抽出された求人情報の中から、予め決められた情報を選択し、前記求職者が操作する端末で参照可能な求人情報として送出することを特徴とする。【００１７】  また、本発明の求人情報提供サーバにおける求人データベースより抽出される前記就業可能時間帯に対応する求人情報は、前記求職者の通勤時間を考慮して、前記求人データベースを参照することにより抽出されることを一つの特徴とする。【００１８】  また、本発明の求人情報提供サーバにおける前記スケジュール関連情報には、前記スケジュール関連情報に含まれる各スケジュールに対応する位置情報を含み、前記通勤時間は、前記位置情報並びに出勤及び退勤の移動手段に基づいて決定されることを一つの特徴とする。【００１９】  また、本発明の求人情報提供サーバにおける求人データベースより抽出される就業可能時間帯に対応する求人情報は、前記スケジュール関連情報に基づき前記求人データベースを参照することにより抽出し、前記抽出された求人情報の範囲において、前記求職者の前記通勤時間を考慮して、再度前記求人データベースを参照することにより抽出することを一つの特徴とする。【００２０】  また、本発明の求人情報提供サーバにおける前記スケジュール関連情報は、前記求職者が操作する端末で利用されているスケジュール管理機能のファイル形式と同一のファイル形式で受領することを一つの特徴とする。【００２１】  また、本発明の求人情報提供サーバにおける前記求職者が操作する端末で参照可能な求人情報として送出する求人情報は、前記求職者が操作する端末の画面に複数の求人情報が一覧表の形で表示可能となるように予め決められた情報を選択することで、各求人情報の情報量を制限して送出することを一つの特徴とする。【００２２】  また、本発明の求人情報提供サーバは、前記求職者が操作する端末で参照可能な求人情報の中から、前記求職者が選択した求人情報の識別情報を受領し、前記求職者が選択した求人情報に関する詳細情報を前記求職者が操作する端末で参照可能に送出することを一つの特徴とする。【００２３】  また、本発明の求人情報提供サーバにおける前記求職者のスケジュール関連情報の少なくとも一部は、前記求職者が操作する端末で利用されているスケジュール管理機能と同期して受領することを一つの特徴とする。【００２４】  さらに、本発明の求人情報受領プログラムは、少なくとも表示装置及びスケジュール管理機能を備え、求人情報提供サーバに接続されて求職者が操作する端末のコンピュータに、
前記求職者の指示操作又は前記求人情報提供サーバからの要求に応じて、前記スケジュール管理機能により管理されているスケジュール関連情報を、予め決められたファイル形式で前記求人情報提供サーバに提供する手順と、
前記求人情報提供サーバから送出された複数の求人情報を前記表示装置に一覧表の形で表示する手順と、
前記複数の求人情報の中から選択した求人情報の識別情報を前記求人情報提供サーバに送出する手順と、
前記求人情報提供サーバから送出された前記選択した求人情報に関する詳細情報を前記表示装置に表示する手順を実行させることを特徴とする。【００２５】  さらに、本発明の求職情報提供サーバは、少なくとも求職情報が格納された求職データベースを備え、求職情報を求人者が操作する端末で参照可能な形態で提供する求職情報提供サーバであって、前記求職情報の提供要求を受領するとともに、前記求人者が登録しようする求人時間帯情報を受領し、前記求職者の少なくとも一日における就業可能時間帯を含むスケジュール関連情報が格納された求職データベースを参照して、前記求人時間帯情報に対応する求職情報を抽出し、前記抽出された求職情報の中から、予め決められた情報を選択し、前記求人者が操作する端末で参照可能な求職情報として送出することを特徴とする。【００２６】  また、本発明の求職情報提供サーバにおける前記求職データベースより抽出される前記求人時間帯情報に対応する求職情報は、前記求職者の通勤時間を考慮して、前記求職データベースを参照することにより抽出することを一つの特徴とする。【００２７】  また、本発明の求職情報提供サーバにおける前記スケジュール関連情報には、前記スケジュール関連情報に含まれる各スケジュールに対応する位置情報を含み、前記通勤時間は、前記位置情報並びに出勤及び退勤の移動手段に基づいて決定されることを一つの特徴とする。【００２８】  また、本発明の求職情報提供サーバにおける求職データベースより抽出される就業可能時間帯に対応する求職情報は、スケジュール関連情報に基づき求職データベースを参照することにより抽出し、前記抽出された求職情報の範囲において、求職者の前記通勤時間を考慮して、再度求職データベースを参照することにより抽出すること一つの特徴とする。【００２９】  また、本発明の求職情報提供サーバにおける前記求職者のスケジュール関連情報は、前記求職者が操作する端末で利用されるスケジュール管理機能のファイル形式と同一のファイル形式で受領することを一つの特徴とする。【００３０】  また、本発明の求職情報提供サーバにおける前記求職者のスケジュール関連情報の少なくとも一部は、前記求職者が操作する端末で利用されているスケジュール管理機能と同期して受領することを一つの特徴とする。
【発明の効果】
【００３１】  本発明は、求人者が、求人者のシフト空き状況を、求人情報（業務内容、日時、時給等）として公開し、求職者が操作する端末において、就労可能な求人情報を閲覧できるようにすることで、求人情報検索時の端末操作の労力を省くことが可能となる。【００３２】  また、求人者が、実際に就労可能な求職者に関して情報提供を受けることが可能となる。
【図面の簡単な説明】
【００３３】
【図１】本発明の実施形態における求人情報提供システム及び／又は求職情報提供システムの構成例を示す図である。
【図２】本発明の実施形態における求職者端末の構成例を示す図である。
【図３】本発明の実施形態における求人者端末の構成例を示す図である。
【図４】本発明の実施形態における求人情報提供サーバ及び求職情報提供サーバのハードウェア構成例を示す図である。
【図５】求人者（事業所）登録情報の構成例を示す図である。
【図６】求人情報の構成例を示す図である。
【図７】求職者登録情報の構成例を示す図である。
【図８】求職者のスケジュール関連情報及び空き時間帯の構成例を示す図である。
【図９】求職者のスケジュール情報及び空き時間帯を容易に理解できるように表した説明図である。
【図１０】求職者端末からの初期登録の実施例を示すフローチャートである。
【図１１】求人者端末からの初期登録の実施例を示すフローチャートである。
【図１２】求人情報提供サーバ及び求職情報提供サーバにおける求職者端末との処理の実施例を示すフローチャートである。
【図１３】求職情報提供サーバ及び求職情報提供サーバにおける求人者端末との処理の実施例を示すフローチャートである。
【図１４】求職者端末を構成する装置の詳細な例を示す図である。
【図１５】図１４に示す求職者端末からの初期登録の実施例を示すフローチャートである。
【図１６】図１４に示す求職者端末において、求人情報を取得するための実施例を示すフローチャートである。
【図１７】求人情報提供サーバ及び求職情報提供サーバから送出される求職者端末のログインページの画面表示例を示す図である。
【図１８】求人情報提供サーバ及び求職情報提供サーバから送出される求職者端末の求人一覧表の画面表示例を示す図である。
【図１９】求人情報提供サーバ及び求職情報提供サーバから送出される求職者端末の求人詳細・応募ページの画面表示例を示す図である。
【発明を実施するための形態】
【実施例】
【００３４】  以下、図面に基づいて本発明の実施するための形態を説明する。図１は、本発明の一実施形態における求人情報及び／又は求職情報提供システム１の構成例を示す図である。【００３５】  求人情報提供及び／又は求職情報提供システム１は、通信ネットワーク４０を介して、求職者又は求人者が情報端末を用いて、求人情報及び求職情報の閲覧を支援するためのシステムである。なお、上述の通信ネットワーク４０は、ＬＡＮ又はインターネット等を指し、無線又は有線の別は問わない。【００３６】  なお、求人情報提供及び／又は求職情報提供システム１については、求人情報若しくは求職情報のいずれか一方又は両方の情報を提供するシステムでも良い。また、求人情報提供システムと求職情報提供システムを独立した複数のシステムとして構築することも可能であるが、以下の説明では、求人情報提供と求職情報提供を同一のシステムで構成したシステムを例に説明する。【００３７】  求職者端末１０は、求職者が利用するスマートフォンやパーソナルコンピュータ等の端末である。本実施形態において、求職者とは有償であるか又は無償であるかを問わず、就労を希望し、本システムを利用して求人情報を閲覧しようとする者をいう。【００３８】  求人者端末２０は、求職者が利用するスマートフォンやパーソナルコンピュータ等の端末である。本実施形態において、求人者とは自己のために他人の労働力の提供を求めるため、本システムを利用して求人情報を登録している者又は登録しようとする者をいう。【００３９】  求人情報提供サーバ及び求職情報提供サーバ３０は、求人情報及び求職情報の提供を支援するための各種情報を管理するコンピュータであり、記憶装置を備え、必要なデータを格納する。なお、サーバ装置を自社で保有して設置する方法のほか、外部からレンタルする方法や、インターネットを通じて遠隔地にあるサーバ装置を利用する方法のいずれであってもよい。【００４０】  サーバの構成については、負荷分散による処理能力向上やデータベースのセキュリティ向上を図るため、Ｗｅｂサーバ、アプリケーションサーバ、データベースサーバで機能別に２層ないし３層で構成しても良い。また、同一の機能を提供する複数台のサーバを備える構成であっても良い。【００４１】  図２は、本発明の実施形態における求職者端末１０の構成例を示す図である。求職者端末１０は、スマートフォン、パーソナルコンピュータ等の端末であり、それぞれ入力部１１、記憶部１２、端末制御部１３、送信部１４、受信部１５及び出力部１６を有する。【００４２】  記憶部１２にはスケジュール情報を含むスケジュール関連情報１７を格納する。このスケジュール関連情報１７は、通常のスマートフォンに備えられているスケジュール情報管理部１８で動作するものであり、必ずしもこの発明を実施するために特別に設ける必要はない。一方で、他のスケジュール管理機能（アプリケーション）を用いて生成することも可能である。【００４３】  また、スケジュール関連情報１７については、求職者端末１０に記憶する方法のほか、通信ネットワーク４０を介して図示しないＷｅｂサーバ上に記憶するＷｅｂカレンダーアプリケーションを通じて記憶するものであっても良い。【０���４４】  なお、本発明の実施例においては、後述するように当該スケジュール情報管理部１８によって蓄積されたスケジュール関連情報１７を活用する。この場合、このスケジュール関連情報１７を求人情報提供サーバ及び求職情報提供サーバ３０に送出する必要がある。【００４５】  このために、例えば、スケジュール関連情報１７のエクスポート機能を活用することで実現することが可能である。すなわち、エクスポート機能によりスケジュール関連情報１７を抽出して作成したファイルをアップロードする機能などを使用して求人情報提供サーバ及び求職情報提供サーバ３０に送出することで実現できる。【００４６】  上述の実施例による方法のほか、Ｗｅｂカレンダーアプリケーションに搭載されるエクスポート機能を用いて、ＩＣＳ、ＣＳＶ等の形式で出力されたスケジュール関連情報のファイルを、求人情報提供サーバ及び求職情報提供サーバ３０で取得することで実現できる。【００４７】  また、求職者端末１０に本システム専用のアプリケーションをダウンロードして起動することで、Ｗｅｂカレンダーアプリケーションと同期することも可能である。この場合、アプリケーション上で「起動時の同期」、「自動同期（間隔設定を含む）」、「手動同期」といった多様な設定を行えることが望ましい。なお、本システム専用のアプリケーションには、同期機能とともに、スケジュール情報の管理機能を備えていても良い。なお、上述のアプリケーション（プログラム）の内容は、後に詳述する。【００４８】  図３は、本発明の実施形態における求人者端末２０の構成例を示す図である。求人者端末２０は、スマートフォン、パーソナルコンピュータ等の端末であり、それぞれ入力部２１、記憶部２２、端末制御部２３、送信部２４、受信部２５及び出力部２６を有する。【００４９】  図４は、本発明の実施形態における求人情報提供サーバ及び求職情報提供サーバ３０のハードウェア構成例を示す図である。求人情報提供サーバ及び求職情報提供サーバ３０は、それぞれバスＢで相互に接続されている通信インターフェース３１、プロセッサ（ＣＰＵ）３２、主記憶装置３３、表示装置３４、入力装置３５、出力装置３６及び補助記憶装置３７を有する。【００５０】  求人情報提供サーバ及び求職情報提供サーバ３０で処理を実現するプログラムは、補助記憶装置３７に記憶される。補助記憶装置３７は、同プログラムを格納するとともに、必要なファイルやデータを格納する。【００５１】  主記憶装置３３は、プログラムの起動指示があった場合に、補助記憶装置３７からプログラムを読み出して格納する。プロセッサ（ＣＰＵ）３２は、主記憶装置３３に格納したプログラムにしたがって、各種機能を実現する。【００５２】  通信インターフェース３１は、通信ネットワーク４０に接続するためのインターフェースである。【００５３】  表示装置３４は、ディスプレイ、モニタ等で、プログラムによるＴＵＩ（Ｔｅｘｔ  Ｕｓｅｒ  Ｉｎｔｅｒｆａｃｅ）やＧＵＩ（Ｇｒａｐｈｉｃａｌ  Ｕｓｅｒ  Ｉｎｔｅｒｆａｃｅ）等を表示する。【００５４】  入力装置３５は、キーボード、マウス等で、文字などを入力したり、命令を与えたりする機能を有する。出力装置３６は、プリンタ等で処理結果を外���に出力する装置である。【００５５】  なお、表示装置３４、入力装置３５及び出力装置３６は、インターネット等を通じて遠隔地からこれらの装置を接続する方法であってもよい。【００５６】  補助記憶装置３７に格納されるデータは、求人データベースと求職データベースに分けられる。【００５７】  補助記憶装置３７に格納される求人データベースは、大きく２種類の情報に大別される。【００５８】  第一に、求人者が登録する求人者（事業所）登録情報データベース３７１（求人者の名称、所在地、事業内容等）がある。第二に、求人が必要となった際に登録する求人情報データベース３７２（業務内容、募集人数、就労日、求人時間帯、賃金（時給）等）がある。なお、後述の通勤時間の算出を行うため、前記求人事業所付近の公共交通機関の発着地までの所要時間を併せて登録しても良い。【００５９】  同様に、補助記憶装置３７に格納される求職データベースも、大きく２種類の情報に大別される。【００６０】  第一に、求職者が登録する求職者登録情報データベース３７３（氏名、生年月日、性別、住所、電話番号、希望する業務、希望エリア、働けない時間帯等）がある。第二に、求人情報提供サーバ及び求職情報提供サーバ３０が受領したスケジュール関連情報に基づいて生成されるスケジュール関連情報データベース３７４がある。なお、通勤時間の算出を行うため、自宅住所付近の公共交通機関の発着地までの所要時間を併せて登録しても良い。【００６１】  ここで、スケジュール関連情報とは、求人情報提供サーバ及び求職情報提供サーバ３０が受領する特定の時間帯に関するスケジュール情報を含む情報のことをいい、前述の「働けない時間帯」を含むものであって良い。【００６２】  また、スケジュール関連情報は、前記スケジュール情報に加え、当該時間帯に対応する求職者の所在地を示す位置情報を含むものであっても良い。【００６３】  空き時間とは、就業可能時間帯を含み、１日のうちでスケジュール情報に予定が入っている時間帯以外の時間帯のことをいう。【００６４】  図５は、求人情報提供サーバ及び求職情報提供サーバ３０における求人者（事業所）登録情報データベース３７１の構成例を示す図である。求人者（事業所）登録情報は、求人者端末２０を通じて求人者が登録する情報であり、具体的には、「求人者名称」「求人者の所在地」「事業内容」「連絡担当者」「ホームページアドレス」等の求人を行う雇用者に関する情報である。【００６５】  求人情報提供サーバ及び求職情報提供サーバ３０は、求人者端末２０から求人者（事業所）情報を受領すると、補助記憶装置３７にある求人者（事業所）登録情報データベース３７１に当該情報を記録する。なお、本実施形態では、求人者を一意に識別するための情報として、求人者ＩＤを用いる。求人者ＩＤは、求人者登録の際に、当該求人者に対して割り当てられ、当該求人者に通知される。【００６６】  図６は、求人情報提供サーバ及び求職情報提供サーバ３０における求人情報データベース３７２の構成例を示す図である。求人情報は、求人者端末２０を通じて求人者が登録する情報であり、具体的には、「求人者名称」「事業所名称」「事業所の所在地」「業務内容」「募集人数」「就労日」「始業時���」「終業時刻」「時給」「通勤手当」等の当該求人の雇用条件に関する情報である。【００６７】  求人情報提供サーバ及び求職情報提供サーバ３０は、求人者端末２０等から求人情報を受領すると、補助記憶装置３７にある求人情報データベース３７２に当該情報を記録する。【００６８】  図７は、求人情報提供サーバ及び求職情報提供サーバ３０における求職者登録情報データベース３７３の構成例を示す図である。求職者登録情報は、求職者端末１０を通じて求職者が登録する情報である。具体的には、「求職者氏名」「住所」「希望職種」「各曜日の働けない時間帯の開始時刻及び終了時刻３７３ａ」「最大通勤時間３７３ｂ」「優先移動手段３７３ｃ」等の求職者に関する情報等がある。【００６９】  求人情報提供サーバ及び求職情報提供サーバ３０は、求職者端末１０から求職者情報を受領すると、補助記憶装置３７にある求職者登録情報データベース３７３に当該情報を記録する。なお、本実施形態では、求職者を一意に識別するための情報として、求職者ＩＤを用いる。求職者ＩＤは、求人者登録の際に、当該求職者に対して割り当てられ、当該求職者に通知される。【００７０】  ここで、各曜日の働けない時間帯の開始時刻及び終了時刻３７３ａについて、補足説明をする。働けない時間帯には、睡眠、身の回りの用事、食事など生理的に必要な活動時間や、家事、介護・看護、育児、日常の買い物等の家事など家庭生活において義務的な性格の強い活動時間に該当する時間帯を登録する。【００７１】  なお、曜日ごとに働けない時間帯を登録する設定が基本となるが、求職者の都合により毎日同一の働けない時間帯を設定することも可能である。また、実施例のように、通勤時間の上限として最大通勤時間３７３ｂ、優先移動手段３７３ｃを設定することも可能である。さらに、求職者登録後、求職者端末１０からの要求により、求職者登録情報データベース３７３の登録内容を更新することも可能である。【００７２】  図８は、求人情報提供サーバ及び求職情報提供サーバ３０における求職者のスケジュール関連情報及び空き時間帯の構成例を示す図である。補助記憶装置３７のスケジュール関連情報データベース３７４は、求職者端末１０から受領したスケジュール関連情報１７に基づき、求職者別に、特定の時間帯ごとに、スケジュールの開始時刻及び終了時刻３７４ａ、位置３７４ｂ及び区間３７４ｃを記録する。【００７３】  なお、求職者登録情報データベース３７３に記憶された各曜日の働けない時間帯についても、それぞれスケジュール関連情報として取り扱い、スケジュール関連情報データベース３７４に記憶する（なお、働けない時間帯に対応する位置情報に関しては、住所地を登録することが妥当と考えられる。）。また、スケジュール情報に対応する位置情報が存在しない場合には、自動的に求職者の住所地を登録する設定も考えられる。【００７４】  同図において、位置３７４ｂは、スケジュールの開始時刻及び終了時刻３７４ａに対応する一の住所地を登録する。なお、位置３７４ｂのデータは緯度経度等の座標情報でも良い。【００７５】  区間３７４ｃは、当該時間帯が空き時間に該当する場合に明示するためのコードである。「０」のコードは既にスケジュール情報���存在する時間帯を、「１」のコードは空き時間を示している。【００７６】  図９は、図８に示した情報に基づき、求職者のスケジュール情報及び空き時間帯を容易に理解できるように表した説明図である。同図において、図８のスケジュール関連情報構成例に対応する２０１８年３月５日から２０１８年３月１１日までの１週間のスケジュール情報を示している。【００７７】  各曜日の働けない時間帯は灰色部分、３月８日のスケジュール情報３７４ｄ及び３月１０日のスケジュール情報３７４ｅは斜線部分で示されており、それ以外の空白部分が当該求職者の空き時間を示している。したがって、当該求職者の２０１８年３月８日の空き時間は、「８時３０分から１４時００分まで」の時間帯である。【００７８】  図１０は、求職者端末１０からの初期登録の実施例を示すフローチャートである。求職者端末１０から、求人情報提供サーバ及び求職情報提供サーバ３０にアクセスするためには、例えば、求人情報提供サーバ及び求職情報提供サーバ３０をアクセスするためのＵＲＬを指定してアクセスするとともに、予め決められたログインの操作を行う。【００７９】  求人情報提供サーバ及び求職情報提供サーバ３０においては、求職者端末１０からのアクセスがあると、例えば、初期登録に必要な情報を入力する画面情報を求職者端末１０に送出する（Ｉ１０１）。【００８０】  求職者端末１０においては、求人情報提供サーバ及び求職情報提供サーバ３０から送出された入力画面を利用して、求職者登録情報の入力を行う。具体的には、図７に示すように、例えば、「氏名」「住所」「希望職種」「各曜日の働けない時間帯の開始時刻及び終了時刻３７３ａ」「最大通勤時間３７３ｂ」「優先移動手段３７３ｃ」等の求職者登録情報について入力を行う。【００８１】  求職者登録情報の入力後、求職者端末１０から送信指示を行うことにより、求人情報提供サーバ及び求職情報提供サーバ３０は、通信ネットワーク４０を経由して受領する（Ｉ１０２）。【００８２】  そして、求人情報提供サーバ及び求職情報提供サーバ３０は、受領した求職者情報を求職者登録情報データベース３７３に記憶する（Ｉ１０３）。【００８３】  これと併行して、求職者登録情報データベース３７３に記憶された「働けない時間帯」をスケジュール関連情報としてスケジュール関連情報データベース３７４に記憶する（Ｉ１０４）。前記「働けない時間帯」は、図７に示すように各曜日で異なる時間帯を設定できるように構成されている。【００８４】  なお、求職者は、求職者端末１０から登録した求職者登録情報の中の最大通勤時間３７３ｂ及び優先移動手段３７３ｃの各情報について、求人情報の提供要求に当たり、考慮する必要があるか否かを求職者端末１０より別途設定することが可能となっている。さらに、求人情報の提供要求に当たり、希望する職種・エリアのほか、勤務時間、通勤時間、賃金額等の上限及び下限を別途設定することができる。【００８５】  図１１は、求人者端末２０からの初期登録の実施例を示すフローチャートである。求人者端末２０から、求人情報提供サーバ及び求職情報提供サーバ３０にアクセスするためには、例えば、求人情報提供サーバ及び求職情報提供サーバ３０をアクセスする��めのＵＲＬを指定してアクセスするとともに、予め決められたログインの操作を行う。【００８６】  求人情報提供サーバ及び求職情報提供サーバ３０においては、求人者端末２０からアクセスがあると、例えば、初期登録に必要な情報を入力する画面情報を求人者端末２０に送出する（Ｉ２０１）。【００８７】  求人者端末２０においては、求人情報提供サーバ及び求職情報提供サーバ３０から送出された入力画面を利用して、求人者登録情報の入力を行う。具体的には、例えば、求人者端末２０から、「求人者の名称」「所在地」「事業内容」等の求人者情報の入力が行われると、求人情報提供サーバ及び求職情報提供サーバ３０は、通信ネットワーク４０を経由して受領する（Ｉ２０２）。【００８８】  求人情報提供サーバ及び求職情報提供サーバ３０は、受領した求人者情報を求人者（事業所）登録情報データベース３７１に記憶する（Ｉ２０３）。【００８９】  図１２は、求人情報提供サーバ及び求職情報提供サーバ３０における求職者端末１０との処理の実施例を示すフローチャートである。まず、求人情報提供サーバ及び求職情報提供サーバ３０は、上述した初期登録の時と同様にログインの操作完了後に求職者端末１０から送出された求人情報提供要求を受領する（Ｓ１０１）。【００９０】  求職者は、求職者端末１０で動作する本システム専用のアプリケーションを動作させることで、求職者端末１０のスケジュール情報管理部１８により、同端末に蓄積されているスケジュール関連情報１７を所定の時期にサーバへ送出し、当該スケジュール関連情報をスケジュール関連情報データベース３７４に記憶させるかどうかを任意に選択することが可能である（Ｓ１０２）。【００９１】  当該スケジュール連動機能をＯＮにしている場合は、求人情報提供サーバ及び求職情報提供サーバ３０は、求人情報提供要求（Ｓ１０１）を行う。これと同時に、求職者端末１０からスケジュール関連情報を受領し、スケジュール関連情報データベース３７４に記憶する（Ｓ１０３）。【００９２】  なお、スケジュール関連情報１７のデータの受け渡しは、上述したエクスポート機能を利用すれば良い。例えば、求職者端末１０で動作しているスケジュール情報管理部１８で管理されるスケジュール関連情報１７のファイル形式と互換性を有するＩＳＣ、ＣＳＶ等のファイル形式で行われる。【００９３】  当該スケジュール連動機能をＯＦＦにしている場合は、求職者端末１０からスケジュール関連情報を受領しない。この場合、求職者が求職者登録情報データベース３７３に登録した「働けない時間帯」の情報等のスケジュール関連情報データベース３７４に記憶されたスケジュール関連情報を使用することになる。【００９４】  上述のステップの後、スケジュール関連情報データベース３７４に記憶されたスケジュール関連情報から、求職者の「空き時間帯」を判別して、スケジュール関連情報データベース３７４に記憶する（Ｓ１０４）。【００９５】  なお、本実施例では、サーバにおいて「空き時間帯」の判別を行うものとしているが、求職者端末１０のスケジュール管理機能（アプリケーション）や、Ｗｅｂカレンダーアプリケーションにおいて、「空き時間」の判別を行い、１つのスケジュール関連情報として、取り扱っても良い。この場合、求人情報提供サーバ及び求職情報提供サーバ３０は、当該スケジュール関連情報が「空き時間」であることを識別可能な形で受領し、スケジュール関連情報データベース３７４には、「空き時間」として登録を行う。したがって、図８に示すスケジュール情報構成のうち、区間３７４ｃのコードは空き時間帯を示す「１」を記憶する。【００９６】  次に、スケジュール関連情報データベース３７４の求職者の「空き時間帯」と、求人情報データベース３７２に記憶されている各求人の「求人時間帯」を比較する。「空き時間帯」が「求人時間帯」を包含する求人情報について、求人情報に一意に紐づけられた求人ＩＤ単位のレコードを抽出する（Ｓ１０５）。【００９７】  この時点で抽出条件に該当する求人情報が存在しない場合は、処理を終了するとともに、求職者端末１０に対して該当する求人情報が存在しない旨を通知する（Ｓ１０６）。【００９８】  抽出条件に該当する求人情報が存在する場合であって、求人事業所までの通勤時間を考慮して求人情報を抽出する場合は、前記抽出ステップ（Ｓ１０５）で抽出された求人ＩＤに対応する求人情報について、スケジュール関連情報データベース３７４に記憶されている求職者の空き時間帯の前後のスケジュール情報に対応する位置から、求人情報データベース３７２に記憶されている各求人事業所までの通勤時間を算出する（Ｓ１０８）。【００９９】  一方、抽出条件に該当する求人情報が存在する場合であって、求人事業所までの通勤時間を考慮して求人情報を抽出しない場合は、求職者端末１０に前記抽出ステップ（Ｓ１０５）で抽出された求人情報を後述の方法により送出する（Ｓ１０７・Ｓ１１１）。【０１００】  なお、自宅等の通勤拠点から所定移動時間内に通勤できる求人情報を出力する際に、通勤手段等を加味して所定の移動時間を決定する方法があり、詳細は、例えば、特開２００８−９０６１４号公報に開示されている手法により実現できる。【０１０１】  また、求職者の最寄りの駅までの所要時間、交通機関における各駅間の所要時間、求人企業から最寄り駅までの所要時間のデータを蓄積し、移動時間を決定する方法があり、詳細は、例えば、特開２００２−２３０１３８号公報に開示されている手法により実現できる。【０１０２】  自宅から求人事業所までの移動時間の算出については、上述の開示技術を用いる方法が考えられるが、出勤及び退勤の通勤手段に応じて異なる算出方法を用いても良い。【０１０３】  例えば、通勤手段が公共交通機関の場合は、▲１▼自宅から複数の最寄り駅等の所要時間、▲２▼交通機関における発着地間の移動時間及び▲３▼求人事業所から複数の最寄り駅等の所要時間のデータを蓄積し、その合計時間に基づいて通勤時間を算出する。また、通勤手段が徒歩、自転車及び自動車の場合は、通勤手段毎の移動速度を勘案した一定の単位を用いて、二地点間の距離に対応する所要の移動時間を算出することも可能である（後述のステップＳ２０５において同じ。）。【０１０４】  次に、前記抽出ステップ（Ｓ１０５）で抽出された求人ＩＤに対応する求人情報について、スケジュール関連情報データベース３７４に記憶されている求職者の「空き時間帯」と求人情報データベース３７２に記憶されている「求人時間帯の前後に前記算出ステップ（Ｓ１０８）で算出した通勤時間を減算及び加算した時間帯」を比較し、「空き時間帯」が「求人時間帯の前後に通勤時間を減算及び加算した時間帯」を包含する求人情報を抽出する（Ｓ１０９）。【０１０５】  この時点で抽出条件に該当する求人が存在しない場合は、処理を終了するとともに、求職者端末１０に対して該当する求人情報が存在しない旨を通知する（Ｓ１１０）。【０１０６】  抽出条件に該当する求人が存在する場合は、求職者端末１０に前記抽出ステップ（Ｓ１０９）で抽出された求人情報を送出する（Ｓ１１１）。なお、求職者が操作する端末の画面に複数の求人情報が一覧表の形で表示可能となるように、業務内容、就業場所、勤務時間、時給額、通勤時間等の重要な雇用条件に限定して送出することが望ましい。【０１０７】  また、求人情報の一覧表は業務内容、勤務時間、通勤時間、時給額等の任意の雇用条件に応じて、求職者端末１０からの要求により並び替えて表示することも可能である。【０１０８】  求職者端末１０の画面に表示された複数の求人情報の一覧表の中から、求職者の希望する求人が存在する場合、当該求人の表示領域を押下することで、求人情報詳細の提供要求が行われる（Ｓ１１２）。【０１０９】  求職者端末１０から求人情報詳細の提供要求を受領した求人情報提供サーバ及び求職情報提供サーバ３０は、求職者端末１０に対し、求人情報データベース３７２に記憶されている該当する求人情報の詳細を送出する（Ｓ１１３）。【０１１０】  なお、本実施例では、ステップ（Ｓ１０５）において、求職者の空き時間帯と求人時間帯を比較して、空き時間帯が求人時間帯を包含する求人情報を先に抽出するものとしている。そして、後続ステップ（Ｓ１０８・Ｓ１０９）において、先行ステップで抽出された求人情報を対象に、「求職者の空き時間帯」が「求人時間帯の前後に通勤時間を減算及び加算した時間帯」を包含する求人情報を再度抽出するものとしている。【０１１１】  これは、求人情報の抽出（検索）の時間を短縮することを期待してのことであるが、当該先行ステップ（Ｓ１０５）を省略し、全ての登録求人の通勤時間を予め求めた上で、求人時間帯に通勤時間を加味した正味の所要時間と求職者の空き時間を比較する方法であっても良い。【０１１２】  また、ステップ（Ｓ１０７）において、上述したように、求職者が最大通勤時間３７３ｂや優先移動手段３７３ｃの情報を利用しない設定を行うことも可能である。利用しない設定を行った場合には、空き時間帯と求人時間帯情報を比較して、空き時間帯が求人時間帯情報を包含する求人情報について、後続ステップ（Ｓ１０８・Ｓ１０９）の処理を省略して通勤時間を考慮せずに表示される。なお、この設定は求人情報を要求する毎に設定を変更することも可能である。【０１１３】  図１３は、求人情報提供サーバ及び求職情報提供サーバ３０における求人者端末２０との処理の実施例を示すフローチャートである。求人情報提供サーバ及び求職情報提供サーバ３０は、上述した初期登録の時と同様にログインの操作完了後に求人者端末２０から送出された求職情報提供要求とともに、求人時間帯情報を含む求人情報を受領する（Ｓ２０１）。【０１１４】  次に、スケジュール関連情報データベース３７４の求職者の「空き時間帯」と、求人者端末２０から受領した求人情報の「求人時間帯」を比較し、「求人時間帯」を包含する「空き時間帯」を有する求職情報を抽出する（Ｓ２０２）。【０１１５】  この時点で抽出条件に該当する求職情報が存在しない場合は、処理を終了するとともに、求人者端末２０に対して該当する求職情報が存在しない旨を通知する（Ｓ２０３）。【０１１６】  抽出条件に該当する求職情報が存在する場合であって、求人事業所までの通勤時間を考慮して求職情報を抽出する場合は、以下のように通勤時間を算出する。例えば、スケジュール関連情報データベース３７４に記憶されている求職者の空き時間帯の前後のスケジュール情報に対応する位置から、求人情報データベース３７２に記憶されている各求人事業所までの通勤時間を算出する（Ｓ２０５）。【０１１７】  一方、抽出条件に該当する求職情報が存在する場合であって、求人事業所までの通勤時間を考慮して求職情報を抽出しない場合は、求人者端末２０に前記抽出ステップ（Ｓ２０２）で抽出された求職情報を後述の方法により送出する（Ｓ２０４・Ｓ２０８）。【０１１８】  次に、スケジュール関連情報データベース３７４に記憶されている求職者の「空き時間帯」と求人者から受領した求人情報の「求人時間帯」を比較する。そして、「求人時間帯の前後に通勤時間を減算及び加算した時間帯」を包含する「空き時間帯」を有する求職情報を抽出する（Ｓ２０６）。【０１１９】  この時点で抽出条件に該当する求職情報が存在しない場合は、処理を終了するとともに、求人者端末２０に対して該当する求職情報が存在しない旨を通知する（Ｓ２０７）。【０１２０】  抽出条件に該当する求職情報が存在する場合は、求人者端末２０に前記抽出ステップ（Ｓ２０６）で抽出された求職情報（例えば、就労可能な求職者の人数等）を送出する（Ｓ２０８）。【０１２１】  なお、本実施例では、ステップ（Ｓ２０２）において、求職者の空き時間帯と求人時間帯を比較して、求人時間帯を包含する空き時間を有する求職情報を先に抽出するものとしている。そして、後続ステップ（Ｓ２０５・Ｓ２０６）において、先行ステップで抽出された求職情報を対象に、「求人時間帯の前後に通勤時間を減算及び加算した時間帯」を包含する「空き時間帯」を有する求職情報を再度抽出するものとしている。【０１２２】  これは、求職情報の抽出（検索）の時間を短縮することを期待してのことであるが、当該先行抽出ステップ（Ｓ２０２）を省略し、全ての求職情報の通勤時間を予め求めた上で、求人時間帯に通勤時間を加味した正味の所要時間と求職者の空き時間を比較する方法であっても良い。【０１２３】  図１４は、図２に示す求職者端末１０の実施例のうち、スマートフォン等の多機能端末を求職者端末１０とした場合の詳細な構成例を示す図である。【０１２４】  求職者端末５０は、外部との情報通信を行う通信インターフェース５１、プロセッサ（ＣＰＵ）５２、主記憶装置５３、表示装置５４、入力装置５５、出力装置５６及び補助記憶装置５７を有する。これらの装置が共通バスｂにより接続されている。【０１２５】  例えば、表示装置５４は、図１７から図１９までにおいて後述するような画面構成を有し、当該画面に直接触れることにより、操作が可能な入力装置５５が設けられ、いわゆる、タッチパネルを構成する。なお、タッチパネルは、表示装置５４にタッチ操作検出用のセンサを備えた入力装置５５に関する公知技術によって実現可能であるが、これに限定されない。【０１２６】  補助記憶装置５７には、プロセッサ（ＣＰＵ）５２が動作するためのプログラムが格納され、本発明における求人情報受領プログラム５７１が含まれている。
また、補助記憶装置５７には、求職者端末５０のスケジュール管理機能のためのスケジュール関連情報データベース５７２が設けられている。【０１２７】  このスケジュール関連情報データベース５７２には、すべてのスケジュール関連情報が記憶される場合と、通信ネットワーク４０を介して図示しないＷｅｂサーバ上に記憶する場合のいずれであっても良い。【０１２８】  図１５は、図１４に示す求人情報受領プログラム５７１の構成のうち、求人情報提供サーバ及び求職情報提供サーバ３０への初期登録を行うためのプログラムの処理フローチャートである。以下、求職者端末５０において求職者情報の初期登録を行う際の諸手順を実行するプログラムの処理について説明する。【０１２９】  求職者端末５０のＷｅｂブラウザや上述の専用アプリケーション等によって、求人情報提供サーバ及び求職情報提供サーバ３０にアクセスするためには、例えばアクセスするためのＵＲＬを指定してアクセスするとともに、予め決められたログインの操作を行う。なお、専用アプリケーションは、ＩＤ及びパスワードを端末内に保存する機能を備えるものであっても良い。同機能を有効にすることで、ログイン時のＩＤ及びパスワードの入力を省略することが可能となる。【０１３０】  ログイン操作が成功すると、求人情報提供サーバ及び求職情報提供サーバ３０より、例えば、初期登録に必要な情報を入力する画面情報が求職者端末５０に送信され、求職者端末５０の表示装置５４に表示される（Ｔ１０１）。【０１３１】  求職者はこの入力画面を利用して、図７に示す「氏名」「住所」「希望職種」「各曜日の働けない時間帯の開始時刻及び終了時刻３７３ａ」「最大通勤時間３７３ｂ」「優先移動手段３７３ｃ」等の求職者情報の入力を行う（Ｔ１０２）。【０１３２】  そして、求職者端末５０から送信指示を行うことにより、求人情報提供サーバ及び求職情報提供サーバ３０に送出することにより初期登録は完了する（Ｔ１０３）。【０１３３】  図１６は、図１４に示す求人情報受領プログラム５７１の構成のうち、求人情報提供サーバ及び求職情報提供サーバ３０から、求人情報を受領するためのプログラムの処理フローチャートである。以下、求職者端末５０における求人情報の提供要求から求人情報の受領までの諸手順を実行するプログラムの処理について説明する。【０１３４】  求職者端末５０が求人情報提供サーバ及び求職情報提供サーバ３０にアクセスするためには、初期登録時と同様、アクセスするためのＵＲＬを指定してアクセスするとともに、予め決められたログインの操作を行う。【０１３５】  ログイン操作が成功すると、求職者端末５０は、まず、求人情報提供サーバ及び求職情報提供サーバ３０に対して、求職者端末５０から求人情報の提供要求を行う（Ｔ２０１）。【０１３６】  その後、求職者端末５０において、スケジュール連動機能が設定されている場合には、例えば、求人情報提供サーバ及び求職情報提供サーバ３０より、求職者のスケジュール関連情報の送信要求を受領する。そして、当該送信要求に応答する形で、求職者端末５０のスケジュール関連情報データベース５７２より、図８に例示するスケジュール関連情報を求人情報提供サーバ及び求職情報提供サーバ３０に���出する（Ｔ２０２）。【０１３７】  なお、スケジュール連動機能の設定については、例えば、図１５で示す初期登録時において、スケジュール連動機能を使うか否かを、求人情報提供サーバ及び求職情報提供サーバ３０に事前に通知することで実現できる。【０１３８】  また、この例では、スケジュール関連情報が、求職者端末５０のスケジュール関連情報データベース５７２に記憶されている例の説明を行った。一方、スケジュール関連情報を図示しないＷｅｂサーバ上に記憶しておき、求職者端末５０からの「起動時の同期」、「自動同期」、「手動同期」等の指示操作に基づきスケジュール関連情報を取得する構成も可能である。【０１３９】  すなわち、「ステップ（Ｔ２０１）において求人情報の提供要求を受けた時」、「求職者が設定する所定の時期（間隔）」、「求職者が指示操作を行った任意の時」等に、求人情報提供サーバ及び求職情報提供サーバ３０から図示しないＷｅｂサーバへアクセスし、例えば、インポート機能を使って求職者のスケジュール関連情報を取得しても良い。【０１４０】  次に、求人情報提供サーバ及び求職情報提供サーバ３０より、求人情報を受領すると、後述する求職者端末５０の表示装置５４に求人情報を一覧表の形で表示する（Ｔ２０３）。【０１４１】  この一覧表の形式で表示される求人情報については、求人情報提供サーバ及び求職情報提供サーバ３０から一定期間分の求人情報をまとめて受領し、図１８において後述するように、カレンダーにより指定された日の求人情報のみを表示するようにしても良い。また、図２に示す求職者端末１０又は図１４に示す求職者端末５０から特定の日が指定される都度、求人情報提供サーバ及び求職情報提供サーバ３０から当該一日分の求人情報を受領して表示するようにしても良い。【０１４２】  ところで、一覧表の形式で表示される求人情報の内容については、提供する情報量を制限して一覧性を高めるため、業務内容、就業場所、勤務時間、時給額、通勤時間等の重要な雇用条件に限定して表示することが適当である。また、求人情報の一覧表は、業務内容、勤務時間、通勤時間、時給額等の任意の雇用条件に応じて、求職者端末５０からの要求により並び替えて表示しても良い。なお、このステップ（Ｔ２０３）においては、図１８で後述するように、カレンダーなどのその他の表示も制御する。【０１４３】  次に、求職者端末５０の表示装置５４に表示された複数の求人情報の一覧表の中から、求職者の希望する求人が存在する場合、求職者は、当該求人情報の表示領域を押下する。【０１４４】  そして、表示装置５４において、求職者が希望する求人情報の表示領域が押下されると、指定された求人情報の識別情報を求人情報提供サーバ及び求職情報提供サーバ３０に送出する（Ｔ２０４）。【０１４５】  次に、求人情報提供サーバ及び求職情報提供サーバ３０から送信された求人情報の詳細を後述する図１９に示すように、表示装置５４に表示させる（Ｔ２０５）。【０１４６】  図１７は、求人情報提供サーバ及び求職情報提供サーバ３０における図２の求職者端末１０又は図１４の求職者端末５０のログインページの画面表示例を示す図である。求職者は、画面（Ｏ１０１）中の求職者ＩＤとパスワードを��力してログインボタン（Ｏ１０１ａ）を押下することにより、ログインすると同時に図１２における求職者端末１０からの求人情報提供要求（Ｓ１０１）が行われる。【０１４７】  図１８は、求人情報提供サーバ及び求職情報提供サーバ３０から送出される図２に示す求職者端末１０又は図１４に示す求職者端末５０の求人一覧表の画面表示例を示す図である。求職者は本画面（Ｏ１１０）上において、求人情報の一覧表を参照することが可能であり、求職者がログインを行った後に本画面（Ｏ１１０）に遷移する。【０１４８】  同画面（Ｏ１１０）においては、図１６に示すステップ（Ｔ２０３）におけるプログラムにより、画面上段に、ログインした日の属する月のカレンダーを表示させても良い（Ｏ１１０ａ）。画面中段に、画面タッチにより選択した日のスケジュールを時系列に表示させる（Ｏ１１０ｂ）。画面下段に、求職者が同日に就労可能な複数の求人情報を一覧表の形式で表示させる（Ｏ１１０ｃ）。【０１４９】  同図において、画面下段に一覧表の形式で表示されている複数の求人情報（Ｏ１１０ｃ）は、図１２のフローチャート記載の各ステップを経て、サーバで最終的に抽出（Ｓ１０８）された後、図２に示す求職者端末１０又は図１４に示す求職者端末５０に送出されたものである（Ｓ１１０）。【０１５０】  画面上段（Ｏ１１０ａ）のカレンダーは、２０１８年３月８日の日付が選択され、同日に就労可能な求人情報が表示されている。ここで、当該カレンダー内の他の日、例えば、２０１８年３月９日の画面領域を押下すると、図２に示す求職者端末１０又は図１４に示す求職者端末５０から、２０１８年３月９日に関する求人情報の提供要求（Ｓ１０１・Ｔ２０１）が行われる。【０１５１】  図２に示す求職者端末１０又は図１４に示す求職者端末５０からの求人情報提供要求に基づいて、サーバにおいて抽出が行われた後、当該求職者が２０１８年３月９日に就労可能な複数の求人情報が一覧表の形式で表示される（Ｓ１１１・Ｔ２０３）。【０１５２】  なお、同画面上段（Ｏ１１０ａ）には、月単位の時間軸のカレンダーが表示されているが、週単位、日単位の時間軸で表示するものであっても良い。【０１５３】  当該一覧表の形式で表示された求人情報は、図１２のステップ（Ｓ２０４）で説明したように、通勤時間を考慮せず、求人時間帯が求職者の空き時間帯に含まれるすべての案件を表示する場合もある。【０１５４】  なお、上述したように、図２に示す求職者端末１０又は図１４に示す求職者端末５０からの条件設定により、図１２に記載のプロセスに入る前に一覧表の形式で表示される求人情報を予め限定して絞り込むことも可能である。【０１５５】  また、求人情報が一覧表の形式で表示された後に条件設定を行い、一覧表の形式で表示される求人情報を事後的に限定して絞り込む方法であっても良い【０１５６】  図１９は、求人情報提供サーバ及び求職情報提供サーバ３０から提供される図２に示す求職者端末１０又は図１４に示す求職者端末５０の求人詳細・応募ページの画面表示例を示す図である。【０１５７】  求職者が図１８の画面下段に一覧表の形式で表示（Ｏ１１０ｃ）された求人情報の表示領域を押下することで、求人情報提供サーバ及び求職情報���供サーバ３０が当該求人情報の提供要求を受領する。これを受けて、求人情報提供サーバ及び求職情報提供サーバ３０は、図１２のフローチャート記載の抽出を行い、選択された求人情報の詳細情報を送出することにより、図２に示す求職者端末１０又は図１４に示す求職者端末５０において本画面（Ｏ１１２）に遷移する。【０１５８】  同図において、求人情報の詳細情報を表示しており、求職者は右下の求人応募ボタン（Ｏ１１２ａ）から求人応募を行うことができる。【０１５９】  このように、本発明によれば、求職者はログインページ（Ｏ１０１）におけるＩＤとパスワードの自動入力機能を有効にすることで、最短で３回のタッチ（クリック）操作をもって希望求人へ応募することが可能となる。【０１６０】  以上、本発明の一実施形態について説明したが、本発明は前述のような特定の実施形態に限定されるものではなく、特許請求の範囲に記載された本発明の要旨の範囲内において、種々の改良・変更が可能である。【０１６１】  また、本発明は、雇用関係による働き方のみならず、有期プロジェクトを中心とした請負契約や業務委託契約等の契約形態を含め、柔軟な働き方を望む多様な働き手や、業務の繁閑に応じた柔軟な人材活用を求める企業等によって、広範な場面において利活用され得るものであり、様々な実施形態が想定される。
【符号の説明】
【０１６２】１            求人情報提供システム及び求職情報提供システム
１０          求職者端末
１１          入力部
１２          記憶部
１３          端末制御部
１４          送信部
１５          受信部
１６          出力部
１７          スケジュール関連情報
１８          スケジュール情報管理部
２０          求職者端末
２１          入力部
２２          記憶部
２３          端末制御部
２４          送信部
２５          受信部
２６          出力部
３０          求人情報提供サーバ及び求職情報提供サーバ
３１          通信インターフェース
３２          プロセッサ（ＣＰＵ）
３３          主記憶装置
３４          表示装置
３５          入力装置
３６          出力装置
３７          補助記憶装置
３７１        求人者（事業所）登録情報データベース
３７２        求人情報データベース
３７３        求職者登録情報データベース
３７４        スケジュール関連情報データベース
Ｂ            バス
４０          通信ネットワーク
５０          求職者端末（スマートフォン等多機能携帯端末）
５１          通信インターフェース
５２          プロセッサ（ＣＰＵ）
５３          主記憶装置
５４          表示装置
５５          入力装置
５６          出力装置
５７          補助記憶装置
５７１        求人情報受領プログラム
５７２        スケジュール関連情報データベース
ｂ            バス
【図１】
2019194823.tif 000003
【図２】
2019194823.tif 000004
【図３】
2019194823.tif 000005
【図４】
2019194823.tif 000006
【図５】
2019194823.tif 000007
【図６】
2019194823.tif 000008
【図７】
2019194823.tif 000009
【図８】
2019194823.tif 000010
【図９】
2019194823.tif 000011
【図１０】
2019194823.tif 000012
【図１１】
2019194823.tif 000013
【図１２】
2019194823.tif 000014
【図１３】
2019194823.tif 000015
【図１４】
2019194823.tif 000016
【図１５】
2019194823.tif 000017
【図１６】
2019194823.tif 000018
【図１７】
2019194823.tif 000019
【図１８】
2019194823.tif 000020
【図１９】
2019194823.tif 000021
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
少なくとも単一の求人情報が複数の情報項目から構成された求人情報が格納された求人データベースを備え、前記求人情報を求職者が操作する端末で参照可能な形態で提供する求人情報提供サーバであって、
前記求職者の少なくとも一日における就業可能時間帯を含むスケジュール関連情報を受領するとともに、前記求職者が操作する端末の操作に応答して、求人情報の提供要求を受領し、
受領した前記スケジュール関連情報から就業可能時間帯を抽出し、前記求人データベースを参照して前記抽出された就業可能時間帯に対応する前記求人情報を抽出し、
前記抽出された求人情報について、予め決められた前記情報項目を選択し、前記求職者が操作する端末で参照可能な形態で送出する求人情報提供サーバ。
【請求項２】
前記求人データベースより抽出される前記就業可能時間帯に対応する前記求人情報は、前記求職者の通勤時間を考慮して、前記求人データベースを参照することにより抽出することを特徴とする請求項１記載の求人情報提供サーバ。
【請求項３】
前記スケジュール関連情報には、前記スケジュール関連情報に含まれる各スケジュールに対応する位置情報を含み、前記通勤時間は、前記位置情報並びに出勤及び退勤の移動手段に基づいて決定されることを特徴とする請求項２記載の求人情報提供サーバ。
【請求項４】
前記求人データベースより抽出される前記就業可能時間帯に対応する前記求人情報は、前記スケジュール関連情報に基づき前記求人データベースを参照することにより抽出し、前記抽出された求人情報の範囲内において、前記求職者の前記通勤時間を考慮して、再度前記求人データベースを参照することにより抽出することを特徴とする請求項２又は請求項３記載の求人情報提供サーバ。
【請求項５】
前記求職者のスケジュール関連情報は、前記求職者が操作する端末で利用されているスケジュール管理機能のファイル形式と同一のファイル形式で受領することを特徴とする請求項１記載の求人情報提供サーバ。
【請求項６】
前記求職者が操作する端末で参照可能な形態で送出される前記求人情報は、前記求職者が操作する端末の画面に複数の求人情報が一覧表の形で表示可能となるように、各求人情報について予め決められた情報項目を選択することで、各求人情報の情報量を制限して送出することを特徴とする請求項１記載の求人情報提供サーバ。
【請求項７】
前記求職者が操作する端末で参照可能な形態で送出された求人情報の中から、前記求職者が選択した前記求人情報の識別情報を受領し、当該求人情報について一覧表の形で表示するために選択されなかった情報項目をさらに含む詳細情報を前記求職者が操作する端末で参照可能に送出することを特徴とする請求項１の求人情報提供サーバ。
【請求項８】
前記求職者のスケジュール関連情報の少なくとも一部は、前記求職者が操作する端末で利用されているスケジュール管理機能と同期して受領することを特徴とする請求項１記載の求人情報提供サーバ。
【請求項９】
少なくとも表示装置及びスケジュール管理機能を備え、求人情報提供サーバに接続されて求職者が操作する端末のコンピュータに、
前記求職者の指示操作又は前記求人情報提供サーバからの要求に応じて、前記スケジュール管理機能により管理されているスケジュール関連情報を、予め決められたファイル形式で前記求人情報提供サーバに提供する手順と、
前記求人情報提供サーバから送出された複数の求人情報を前記表示装置に一覧表の形で表示する手順と、
前記複数の求人情報の中から選択した求人情報の識別情報を前記求人情報提供サーバに送出する手順と、
前記求人情報提供サーバから送出された前記選択した求人情報に関する詳細情報を前記表示装置に表示する手順を実行させる求人情報受領プログラム。
【請求項１０】
前記求人情報受領プログラムは、前記表示装置に表示されているカレンダー情報に基づき前記求人情報の提供を受けたい期間の選択を受け付け、選択された期間の求人情報を前記求人情報提供サーバに要求する手順を前記求職者が操作する端末のコンピュータに、さらに実行させることを特徴とする請求項９記載の求人情報受領プログラム。
【請求項１１】
少なくとも単一の求職情報が複数の情報項目から構成された求職情報が格納された求職データベースを備え、前記求職情報を求人者が操作する端末で参照可能な形態で提供する求職情報提供サーバであって、
前記求職情報の提供要求を受領するとともに、前記求人者が登録しようする求人時間帯情報を受領し、
前記求職者の少なくとも一日における就業可能時間帯を含むスケジュール関連情報が格納された求職データベースを参照して、前記求人時間帯情報に対応する前記求職情報を抽出し、
前記抽出された求職情報について、予め決められた前記情報項目を選択し、前記求人者が操作する端末で参照可能な形態で送出する求職情報提供サーバ。
【請求項１２】
前記求職データベースより抽出される前記求人時間帯情報に対応する前記求職情報は、前記求職者の通勤時間を考慮して、前記求職データベースを参照することにより抽出することを特徴とする請求項１１記載の求職情報提供サーバ。
【請求項１３】
前記スケジュール関連情報には、前記スケジュール関連情報に含まれる各スケジュールに対応する位置情報を含み、前記通勤時間は、前記位置情報並びに出勤及び退勤の移動手段に基づいて決定されることを特徴とする請求項１２記載の求職情報提供サーバ。
【請求項１４】
前記求職データベースより抽出される前記求人時間帯情報に対応する前記求職情報は、前記スケジュール関連情報に基づき前記求職データベースを参照することにより抽出し、前記抽出された求職情報の範囲内において、前記求職者の前記通勤時間を考慮して、再度前記求職データベースを参照することにより抽出することを特徴とする請求項１２又は請求項１３記載の求職情報提供サーバ。
【請求項１５】
前記求職者のスケジュール関連情報は、前記求職者が操作する端末で利用されているスケジュール管理機能のファイル形式と同一のファイル形式で受領することを特徴とする請求項１１記載の求職情報提供サーバ。
【請求項１６】
前記求職者のスケジュール関連情報の少なくとも一部は、前記求職者が操作する端末で利用されているスケジュール管理機能と同期して受領することを特徴とする請求項１１記載の求職情報提供サーバ。
【手続補正２】
【補正対象書類名】明細書
【補正対象項目名】０１０６
【補正方法】変更
【補正の内容】
【０１０６】
抽出条件に該当する求人が存在する場合は、求職者端末１０に前記抽出ステップ（Ｓ１０９）で抽出された求人情報を送出する（Ｓ１１１）。なお、求職者が操作する端末の画面に複数の求人情報が一覧表の形で表示可能となるように各求人情報の情報量を制限するのが良い。そのために、各求人情報の中から予め決められた情報を選択する。例えば、業務内容、就業場所、勤務時間、時給額、通勤時間等の重要な雇用条件に限定して送出することが望ましい。
【手続補正書】
【提出日】平成30年8月18日(2018.8.18)
【手続補正１】
【補正対象書類名】明細書
【補正対象項目名】全文
【補正方法】変更
【補正の内容】
【発明の詳細な説明】
【技術分野】
【０００１】
本発明は、求人情報提供サーバ及び／又は求職情報提供サーバ並びに求人情報プログラムに関する。
【背景技術】
【０００２】
２１世紀は、開発途上地域を含む多くの国々において、少子高齢化の急速な進展が予測されており、労働力不足が懸念される中、未就労の女性、高齢者等の潜在的労働力の活用が課題となっている。
【０００３】
近年、スマートフォン等の情報端末が広く普及し、求職者が仕事を探す際も、当該情報端末で希望条件を入力することで、場所を問わず求人先を検索することが可能になっている。当該情報端末は位置情報を取得可能であることから、位置情報を活用して「通勤時間」や「勤務場所」を表示する求人情報提供サービスも行われている。
【０００４】
関連する公知技術として、求人マッチングシステムであって、求職者の位置情報を参照して、勤務場所までの距離が所定の範囲内の求職者端末に求人情報を配信し、応募してきた求職者について勤務場所までの距離の情報を加味して応募者の順位づけを行うものが知られている（特許文献１）。
【０００５】
また、求人情報検索システムであって、自宅などの通勤拠点から所定移動時間内に通勤できる求人情報を出力する際に、通勤手段等（徒歩、車、電車など）を加味して所定の移動時間を決定することにより求人情報の検索範囲を的確に設定できる技術が知られている（特許文献２）。
【０００６】
また、交通機関における各駅間の所要時間と、求人企業から最寄り駅までの所要時間のデータを蓄積し、求職者が設定する通勤時間に適合した求人を検索するシステムが知られている（特許文献３）。なお、このシステムでは、求職者が設定した通勤時間のデータを求人者側から検索することも可能としている。
【０００７】
また、学生のスケジュールを登録することで、求人側が学生のスケジュールの空き時間を見て、アルバイトの予定を入力することができる求人システムが知られている（特許文献４）。
【０００８】
また、介護人と被介護人の双方の端末装置から介護人及び被介護人の空き時間情報をタイムスケジュールとしてデータベースに登録することで、介護人の空き時間と被介護人の空き時間がマッチする情報を得て介護人の端末装置に送信する照会システムが知られている（特許文献５）。
【０００９】
また、個別の要求に応じて需要情報と供給情報のマッチングを行い、需要者や供給者のスケジュールを決定するマッチング支援装置が知られている（特許文献６）。なお、当該装置では、スケジュール情報や所定の情報に基づいて供給情報及び需要情報のマッチングを行い、マッチング結果を用いてスケジュール更新を行うことが出来る。
【００１０】
さらに、雇用情報と求職情報の登録を受け付け、両情報をリアルタイムでマッチングさせた結果を雇用者と求職者の端末に送信し、採用決定までのメール送受信を行うシステムが知られている（特許文献７）。
【先行技術文献】
【特許文献】
【００１１】
【特許文献１】特開２０１７−１１７３７５号公報
【００１２】
【特許文献２】特開２００８−９０６１４号公報
【００１３】
【特許文献３】特開２００２−２３０１３８号公報
【００１４】
【特許文献４】特開２００２−１４９８７９号公報
【００１５】
【特許文献５】特開２００３−３２３４８４号公報
【００１６】
【特許文献６】特開２０１５−９９６１９号公報
【００１７】
【特許文献７】特開２００２−２４４５９号公報
【発明の概要】
【発明が解決しようとする課題】
【００１８】
上述の特許文献１から特許文献７までに開示された求人システムでは、求職者が自分の就業可能時間帯を明示的に登録しない限り、就業可能な求人情報を容易に得ることはできない。
【００１９】
また、求人側が求人広告を行う場合は、求人事業所との距離が近い求職者だけでなく、就業可能な求職者に的を絞って確度の高いターゲティング広告を行いたいというニーズもある。
【００２０】
本発明は、これらの事情に鑑みて創案されたものであり、柔軟な新しい働き方（雇用形態）の枠組みを提示するとともに、このような働き方をコンプライアンス面の対応を含め、実現可能とする機動的かつ永続的な人材マッチングの仕組みを整備することである。
【００２１】
それにより、子育て中の女性、元気な高齢者等潜在的な働き手の就労ニーズを掘り起こすことによって、新たな労働市場を創造し、人手不足等社会課題の解決を実現するものである。
【課題を解決するための手段】
【００２２】
上述した課題を解決し、目的を達成するために、本発明の求人情報提供サーバは、少なくとも単一の求人情報が複数の情報項目から構成された求人情報が格納された求人データベースを備え、前記求人情報を求職者が操作する端末で参照可能な形態で提供する求人情報提供サーバであって、前記求職者の少なくとも一日における就業可能時間帯を含むスケジュール関連情報を受領するとともに、前記求職者が操作する端末に応答して、求人情報の提供要求を受領し、受領した前記スケジュール関連情報から就業可能時間帯を抽出し、前記求人データベースを参照して前記抽出された就業可能時間帯に対応する前記求人情報を抽出し、前記抽出された求人情報について、予め決められた前記情報項目を選択し、前記求職者が操作する端末で参照可能な形態で送出することを特徴とする。
【００２３】
また、本発明の求人情報提供サーバにおける求人データベースより抽出される前記就業可能時間帯に対応する前記求人情報は、前記求職者の通勤時間を考慮して、前記求人データベースを参照することにより抽出されることを一つの特徴とする。
【００２４】
また、本発明の求人情報提供サーバにおける前記スケジュール関連情報には、前記スケジュール関連情報に含まれる各スケジュールに対応する位置情報を含み、前記通勤時間は、前記位置情報並びに出勤及び退勤の移動手段に基づいて決定されることを一つの特徴とする。
【００２５】
また、本発明の求人情報提供サーバにおける求人データベースより抽出される就業可能時間帯に対応する求人情報は、前記スケジュール関連情報に基づき前記求人データベースを参照することにより抽出し、前記抽出された求人情報の範囲において、前記求職者の前記通勤時間を考慮して、再度前記求人データベースを参照することにより抽出することを一つの特徴とする。
【００２６】
また、本発明の求人情報提供サーバにおける前記スケジュール関連情報は、前記求職者が操作する端末で利用されているスケジュール管理機能のファイル形式と同一のファイル形式で受領することを一つの特徴とする。
【００２７】
また、本発明の求人情報提供サーバにおける前記求職者が操作する端末で参照可能な形態で送出される前記求人情報は、前記求職者が操作する端末の画面に複数の求人情報が一覧表の形で表示可能となるように、各求人情報について予め決められた情報を選択することで、各求人情報の情報量を制限して送出することを一つの特徴とする。
【００２８】
また、本発明の求人情報提供サーバは、前記求職者が操作する端末で参照可能な形態で送出された求人情報の中から、前記求職者が選択した求人情報の識別情報を受領し、当該求人情報について一覧表の形で表示するために選択されなかった情報項目をさらに含む詳細情報を前記求職者が操作する端末で参照可能に送出することを一つの特徴とする。
【００２９】
また、本発明の求人情報提供サーバにおける前記求職者のスケジュール関連情報の少なくとも一部は、前記求職者が操作する端末で利用されているスケジュール管理機能と同期して受領することを一つの特徴とする。
【００３０】
さらに、本発明の求人情報受領プログラムは、少なくとも表示装置及びスケジュール管理機能を備え、求人情報提供サーバに接続されて求職者が操作する端末のコンピュータに、
前記求職者の指示操作又は前記求人情報提供サーバからの要求に応じて、前記スケジュール管理機能により管理されているスケジュール関連情報を、予め決められたファイル形式で前記求人情報提供サーバに提供する手順と、
前記求人情報提供サーバから送出された複数の求人情報を前記表示装置に一覧表の形で表示する手順と、
前記複数の求人情報の中から選択した求人情報の識別情報を前記求人情報提供サーバに送出する手順と、
前記求人情報提供サーバから送出された前記選択した求人情報に関する詳細情報を前記表示装置に表示する手順を実行させることを特徴とする。
【００３１】
さらに、本発明の求人情報受領プログラムは、前記表示装置に表示されているカレンダー情報に基づき前記求人情報の提供を受けたい期間の選択を受け付け、選択された期間の求人情報を前記求人情報提供サーバに要求する手順を前記求職者が操作する端末のコンピュータに、さらに実行させることを特徴とする。
【００３２】
さらに、本発明の求職情報提供サーバは、少なくとも単一の求職情報が複数の情報項目から構成された求職情報が格納された求職データベースを備え、前記求職情報を求人者が操作する端末で参照可能な形態で提供する求職情報提供サーバであって、前記求職情報の提供要求を受領するとともに、前記求人者が登録しようする求人時間帯情報を受領し、前記求職者の少なくとも一日における就業可能時間帯を含むスケジュール関連情報が格納された求職データベースを参照して、前記求人時間帯情報に対応する前記求職情報を抽出し、前記抽出された求職情報について、予め決められた前記情報項目を選択し、前記求人者が操作する端末で参照可能な形態で送出することを特徴とする。
【００３３】
また、本発明の求職情報提供サーバにおける前記求職データベースより抽出される前記求人時間帯情報に対応する前記求職情報は、前記求職者の通勤時間を考慮して、前記求職データベースを参照することにより抽出することを一つの特徴とする。
【００３４】
また、本発明の求職情報提供サーバにおける前記スケジュール関連情報には、前記スケジュール関連情報に含まれる各スケジュールに対応する位置情報を含み、前記通勤時間は、前記位置情報並びに出勤及び退勤の移動手段に基づいて決定されることを一つの特徴とする。
【００３５】
また、本発明の求職情報提供サーバにおける求職データベースより抽出される就業可能時間帯に対応する前記求職情報は、スケジュール関連情報に基づき求職データベースを参照することにより抽出し、前記抽出された求職情報の範囲内において、求職者の前記通勤時間を考慮して、再度求職データベースを参照することにより抽出すること一つの特徴とする。
【００３６】
また、本発明の求職情報提供サーバにおける前記求職者のスケジュール関連情報は、前記求職者が操作する端末で利用されるスケジュール管理機能のファイル形式と同一のファイル形式で受領することを一つの特徴とする。
【００３７】
また、本発明の求職情報提供サーバにおける前記求職者のスケジュール関連情報の少なくとも一部は、前記求職者が操作する端末で利用されているスケジュール管理機能と同期して受領することを一つの特徴とする。
【発明の効果】
【００３８】
本発明は、求職者の端末による要求に応答して、求職者のスケジュール関連情報等により、自動的に抽出した就業可能時間帯に対応する、求人者が登録した求人情報（業務内容、時間帯、時給等）を検索して提供するようにしたので、求人情報検索時の端末操作を大幅に軽減することが可能となる。
【００３９】
また、求人者が、実際に就労可能な求職者に関して情報提供を受けることが可能となる。
【図面の簡単な説明】
【００４０】
【図１】本発明の実施形態における求人情報提供システム及び／又は求職情報提供システムの構成例を示す図である。
【図２】本発明の実施形態における求職者端末の構成例を示す図である。
【図３】本発明の実施形態における求人者端末の構成例を示す図である。
【図４】本発明の実施形態における求人情報提供サーバ及び求職情報提供サーバのハードウェア構成例を示す図である。
【図５】求人者（事業所）登録情報の構成例を示す図である。
【図６】求人情報の構成例を示す図である。
【図７】求職者登録情報の構成例を示す図である。
【図８】求職者のスケジュール関連情報及び空き時間帯の構成例を示す図である。
【図９】求職者のスケジュール情報及び空き時間帯を容易に理解できるように表した説明図である。
【図１０】求職者端末からの初期登録の実施例を示すフローチャートである。
【図１１】求人者端末からの初期登録の実施例を示すフローチャートである。
【図１２】求人情報提供サーバ及び求職情報提供サーバにおける求職者端末との処理の実施例を示すフローチャートである。
【図１３】求職情報提供サーバ及び求職情報提供サーバにおける求人者端末との処理の実施例を示すフローチャートである。
【図１４】求職者端末を構成する装置の詳細な例を示す図である。
【図１５】図１４に示す求職者端末からの初期登録の実施例を示すフローチャートである。
【図１６】図１４に示す求職者端末において、求人情報を取得するための実施例を示すフローチャートである。
【図１７】求人情報提供サーバ及び求職情報提供サーバから送出される求職者端末のログインページの画面表示例を示す図である。
【図１８】求人情報提供サーバ及び求職情報提供サーバから送出される求職者端末の求人一覧表の画面表示例を示す図である。
【図１９】求人情報提供サーバ及び求職情報提供サーバから送出される求職者端末の求人詳細・応募ページの画面表示例を示す図である。
【発明を実施するための形態】
【実施例】
【００４１】
以下、図面に基づいて本発明の実施するための形態を説明する。図１は、本発明の一実施形態における求人情報及び／又は求職情報提供システム１の構成例を示す図である。
【００４２】
求人情報提供及び／又は求職情報提供システム１は、通信ネットワーク４０を介して、求職者又は求人者が情報端末を用いて、求人情報及び求職情報の閲覧を支援するためのシステムである。なお、上述の通信ネットワーク４０は、ＬＡＮ又はインターネット等を指し、無線又は有線の別は問わない。
【００４３】
なお、求人情報提供及び／又は求職情報提供システム１については、求人情報若しくは求職情報のいずれか一方又は両方の情報を提供するシステムでも良い。また、求人情報提供システムと求職情報提供システムを独立した複数のシステムとして構築することも可能であるが、以下の説明では、求人情報提供と求職情報提供を同一のシステムで構成したシステムを例に説明する。
【００４４】
求職者端末１０は、求職者が利用するスマートフォンやパーソナルコンピュータ等の端末である。本実施形態において、求職者とは有償であるか又は無償であるかを問わず、就労を希望し、本システムを利用して求人情報を閲覧しようとする者をいう。
【００４５】
求人者端末２０は、求職者が利用するスマートフォンやパーソナルコンピュータ等の端末である。本実施形態において、求人者とは自己のために他人の労働力の提供を求めるため、本システムを利用して求人情報を登録している者又は登録しようとする者をいう。
【００４６】
求人情報提供サーバ及び求職情報提供サーバ３０は、求人情報及び求職情報の提供を支援するための各種情報を管理するコンピュータであり、記憶装置を備え、必要なデータを格納する。なお、サーバ装置を自社で保有して設置する方法のほか、外部からレンタルする方法や、インターネットを通じて遠隔地にあるサーバ装置を利用する方法のいずれであってもよい。
【００４７】
サーバの構成については、負荷分散による処理能力向上やデータベースのセキュリティ向上を図るため、Ｗｅｂサーバ、アプリケーションサーバ、データベースサーバで機能別に２層ないし３層で構成しても良い。また、同一の機能を提供する複数台のサーバを備える構成であっても良い。
【００４８】
図２は、本発明の実施形態における求職者端末１０の構成例を示す図である。求職者端末１０は、スマートフォン、パーソナルコンピュータ等の端末であり、それぞれ入力部１１、記憶部１２、端末制御部１３、送信部１４、受信部１５及び出力部１６を有する。
【００４９】
記憶部１２にはスケジュール情報を含むスケジュール関連情報１７を格納する。このスケジュール関連情報１７は、通常のスマートフォンに備えられているスケジュール情報管理部１８で動作するものであり、必ずしもこの発明を実施するために特別に設ける必要はない。一方で、他のスケジュール管理機能（アプリケーション）を用いて生成することも可能である。
【００５０】
また、スケジュール関連情報１７については、求職者端末１０に記憶する方法のほか、通信ネットワーク４０を介して図示しないＷｅｂサーバ上に記憶するＷｅｂカレンダーアプリケーションを通じて記憶するものであっても良い。
【００５１】
なお、本発明の実施例においては、後述するように当該スケジュール情報管理部１８によって蓄積されたスケジュール関連情報１７を活用する。この場合、このスケジュール関連情報１７を求人情報提供サーバ及び求職情報提供サーバ３０に送出する必要がある。
【００５２】
このために、例えば、スケジュール関連情報１７のエクスポート機能を活用することで実現することが可能である。すなわち、エクスポート機能によりスケジュール関連情報１７を抽出して作成したファイルをアップロードする機能などを使用して求人情報提供サーバ及び求職情報提供サーバ３０に送出することで実現できる。
【００５３】
上述の実施例による方法のほか、Ｗｅｂカレンダーアプリケーションに搭載されるエクスポート機能を用いて、ＩＣＳ、ＣＳＶ等の形式で出力されたスケジュール関連情報のファイルを、求人情報提供サーバ及び求職情報提供サーバ３０で取得することで実現できる。
【００５４】
また、求職者端末１０に本システム専用のアプリケーションをダウンロードして起動することで、Ｗｅｂカレンダーアプリケーションと同期することも可能である。この場合、アプリケーション上で「起動時の同期」、「自動同期（間隔設定を含む）」、「手動同期」といった多様な設定を行えることが望ましい。なお、本システム専用のアプリケーションには、同期機能とともに、スケジュール情報の管理機能を備えていても良い。なお、上述のアプリケーション（プログラム）の内容は、後に詳述する。
【００５５】
図３は、本発明の実施形態における求人者端末２０の構成例を示す図である。求人者端末２０は、スマートフォン、パーソナルコンピュータ等の端末であり、それぞれ入力部２１、記憶部２２、端末制御部２３、送信部２４、受信部２５及び出力部２６を有する。
【００５６】
図４は、本発明の実施形態における求人情報提供サーバ及び求職情報提供サーバ３０のハードウェア構成例を示す図である。求人情報提供サーバ及び求職情報提供サーバ３０は、それぞれバスＢで相互に接続されている通信インターフェース３１、プロセッサ（ＣＰＵ）３２、主記憶装置３３、表示装置３４、入力装置３５、出力装置３６及び補助記憶装置３７を有する。
【００５７】
求人情報提供サーバ及び求職情報提供サーバ３０で処理を実現するプログラムは、補助記憶装置３７に記憶される。補助記憶装置３７は、同プログラムを格納するとともに、必要なファイルやデータを格納する。
【００５８】
主記憶装置３３は、プログラムの起動指示があった場合に、補助記憶装置３７からプログラムを読み出して格納する。プロセッサ（ＣＰＵ）３２は、主記憶装置３３に格納したプログラムにしたがって、各種機能を実現する。
【００５９】
通信インターフェース３１は、通信ネットワーク４０に接続するためのインターフェースである。
【００６０】
表示装置３４は、ディスプレイ、モニタ等で、プログラムによるＴＵＩ（Ｔｅｘｔ  Ｕｓｅｒ  Ｉｎｔｅｒｆａｃｅ）やＧＵＩ（Ｇｒａｐｈｉｃａｌ  Ｕｓｅｒ  Ｉｎｔｅｒｆａｃｅ）等を表示する。
【００６１】
入力装置３５は、キーボード、マウス等で、文字などを入力したり、命令を与えたりする機能を有する。出力装置３６は、プリンタ等で処理結果を外部に出力する装置である。
【００６２】
なお、表示装置３４、入力装置３５及び出力装置３６は、インターネット等を通じて遠隔地からこれらの装置を接続する方法であってもよい。
【００６３】
補助記憶装置３７に格納されるデータは、求人データベースと求職データベースに分けられる。
【００６４】
補助記憶装置３７に格納される求人データベースは、大きく２種類の情報に大別される。
【００６５】
第一に、求人者が登録する求人者（事業所）登録情報データベース３７１（求人者の名称、所在地、事業内容等）がある。第二に、求人が必要となった際に登録する求人情報データベース３７２（業務内容、募集人数、就労日、求人時間帯、賃金（時給）等）がある。なお、後述の通勤時間の算出を行うため、前記求人事業所付近の公共交通機関の発着地までの所要時間を併せて登録しても良い。
【００６６】
同様に、補助記憶装置３７に格納される求職データベースも、大きく２種類の情報に大別される。
【００６７】
第一に、求職者が登録する求職者登録情報データベース３７３（氏名、生年月日、性別、住所、電話番号、希望する業務、希望エリア、働けない時間帯等）がある。第二に、求人情報提供サーバ及び求職情報提供サーバ３０が受領したスケジュール関連情報に基づいて生成されるスケジュール関連情報データベース３７４がある。なお、通勤時間の算出を行うため、自宅住所付近の公共交通機関の発着地までの所要時間を併せて登録しても良い。
【００６８】
ここで、スケジュール関連情報とは、求人情報提供サーバ及び求職情報提供サーバ３０が受領する特定の時間帯に関するスケジュール情報を含む情報のことをいい、前述の「働けない時間帯」を含むものであって良い。
【００６９】
また、スケジュール関連情報は、前記スケジュール情報に加え、当該時間帯に対応する求職者の所在地を示す位置情報を含むものであっても良い。
【００７０】
空き時間とは、就業可能時間帯を含み、１日のうちでスケジュール情報に予定が入っている時間帯以外の時間帯のことをいう。
【００７１】
図５は、求人情報提供サーバ及び求職情報提供サーバ３０における求人者（事業所）登録情報データベース３７１の構成例を示す図である。求人者（事業所）登録情報は、求人者端末２０を通じて求人者が登録する情報であり、具体的には、「求人者名称」「求人者の所在地」「事業内容」「連絡担当者」「ホームページアドレス」等の求人を行う雇用者に関する情報である。
【００７２】
求人情報提供サーバ及び求職情報提供サーバ３０は、求人者端末２０から求人者（事業所）情報を受領すると、補助記憶装置３７にある求人者（事業所）登録情報データベース３７１に当該情報を記録する。なお、本実施形態では、求人者を一意に識別するための情報として、求人者ＩＤを用いる。求人者ＩＤは、求人者登録の際に、当該求人者に対して割り当てられ、当該求人者に通知される。
【００７３】
図６は、求人情報提供サーバ及び求職情報提供サーバ３０における求人情報データベース３７２の構成例を示す図である。求人情報は、求人者端末２０を通じて求人者が登録する情報であり、具体的には、「求人者名称」「事業所名称」「事業所の所在地」「業務内容」「募集人数」「就労日」「始業時刻」「終業時刻」「時給」「通勤手当」等の当該求人の雇用条件に関する情報である。
【００７４】
求人情報提供サーバ及び求職情報提供サーバ３０は、求人者端末２０等から求人情報を受領すると、補助記憶装置３７にある求人情報データベース３７２に当該情報を記録する。
【００７５】
図７は、求人情報提供サーバ及び求職情報提供サーバ３０における求職者登録情報データベース３７３の構成例を示す図である。求職者登録情報は、求職者端末１０を通じて求職者が登録する情報である。具体的には、「求職者氏名」「住所」「希望職種」「各曜日の働けない時間帯の開始時刻及び終了時刻３７３ａ」「最大通勤時間３７３ｂ」「優先移動手段３７３ｃ」等の求職者に関する情報等がある。
【００７６】
求人情報提供サーバ及び求職情報提供サーバ３０は、求職者端末１０から求職者情報を受領すると、補助記憶装置３７にある求職者登録情報データベース３７３に当該情報を記録する。なお、本実施形態では、求職者を一意に識別するための情報として、求職者ＩＤを用いる。求職者ＩＤは、求人者登録の際に、当該求職者に対して割り当てられ、当該求職者に通知される。
【００７７】
ここで、各曜日の働けない時間帯の開始時刻及び終了時刻３７３ａについて、補足説明をする。働けない時間帯には、睡眠、身の回りの用事、食事など生理的に必要な活動時間や、家事、介護・看護、育児、日常の買い物等の家事など家庭生活において義務的な性格の強い活動時間に該当する時間帯を登録する。
【００７８】
なお、曜日ごとに働けない時間帯を登録する設定が基本となるが、求職者の都合により毎日同一の働けない時間帯を設定することも可能である。また、実施例のように、通勤時間の上限として最大通勤時間３７３ｂ、優先移動手段３７３ｃを設定することも可能である。さらに、求職者登録後、求職者端末１０からの要求により、求職者登録情報データベース３７３の登録内容を更新することも可能である。
【００７９】
図８は、求人情報提供サーバ及び求職情報提供サーバ３０における求職者のスケジュール関連情報及び空き時間帯の構成例を示す図である。補助記憶装置３７のスケジュール関連情報データベース３７４は、求職者端末１０から受領したスケジュール関連情報１７に基づき、求職者別に、特定の時間帯ごとに、スケジュールの開始時刻及び終了時刻３７４ａ、位置３７４ｂ及び区間３７４ｃを記録する。
【００８０】
なお、求職者登録情報データベース３７３に記憶された各曜日の働けない時間帯についても、それぞれスケジュール関連情報として取り扱い、スケジュール関連情報データベース３７４に記憶する（なお、働けない時間帯に対応する位置情報に関しては、住所地を登録することが妥当と考えられる。）。また、スケジュール情報に対応する位置情報が存在しない場合には、自動的に求職者の住所地を登録する設定も考えられる。
【００８１】
同図において、位置３７４ｂは、スケジュールの開始時刻及び終了時刻３７４ａに対応する一の住所地を登録する。なお、位置３７４ｂのデータは緯度経度等の座標情報でも良い。
【００８２】
区間３７４ｃは、当該時間帯が空き時間に該当する場合に明示するためのコードである。「０」のコードは既にスケジュール情報が存在する時間帯を、「１」のコードは空き時間を示している。
【００８３】
図９は、図８に示した情報に基づき、求職者のスケジュール情報及び空き時間帯を容易に理解できるように表した説明図である。同図において、図８のスケジュール関連情報構成例に対応する２０１８年３月５日から２０１８年３月１１日までの１週間のスケジュール情報を示している。
【００８４】
各曜日の働けない時間帯は灰色部分、３月８日のスケジュール情報３７４ｄ及び３月１０日のスケジュール情報３７４ｅは斜線部分で示されており、それ以外の空白部分が当該求職者の空き時間を示している。したがって、当該求職者の２０１８年３月８日の空き時間は、「８時３０分から１４時００分まで」の時間帯である。
【００８５】
図１０は、求職者端末１０からの初期登録の実施例を示すフローチャートである。求職者端末１０から、求人情報提供サーバ及び求職情報提供サーバ３０にアクセスするためには、例えば、求人情報提供サーバ及び求職情報提供サーバ３０をアクセスするためのＵＲＬを指定してアクセスするとともに、予め決められたログインの操作を行う。
【００８６】
求人情報提供サーバ及び求職情報提供サーバ３０においては、求職者端末１０からのアクセスがあると、例えば、初期登録に必要な情報を入力する画面情報を求職者端末１０に送出する（Ｉ１０１）。
【００８７】
求職者端末１０においては、求人情報提供サーバ及び求職情報提供サーバ３０から送出された入力画面を利用して、求職者登録情報の入力を行う。具体的には、図７に示すように、例えば、「氏名」「住所」「希望職種」「各曜日の働けない時間帯の開始時刻及び終了時刻３７３ａ」「最大通勤時間３７３ｂ」「優先移動手段３７３ｃ」等の求職者登録情報について入力を行う。
【００８８】
求職者登録情報の入力後、求職者端末１０から送信指示を行うことにより、求人情報提供サーバ及び求職情報提供サーバ３０は、通信ネットワーク４０を経由して受領する（Ｉ１０２）。
【００８９】
そして、求人情報提供サーバ及び求職情報提供サーバ３０は、受領した求職者情報を求職者登録情報データベース３７３に記憶する（Ｉ１０３）。
【００９０】
これと併行して、求職者登録情報データベース３７３に記憶された「働けない時間帯」をスケジュール関連情報としてスケジュール関連情報データベース３７４に記憶する（Ｉ１０４）。前記「働けない時間帯」は、図７に示すように各曜日で異なる時間帯を設定できるように構成されている。
【００９１】
なお、求職者は、求職者端末１０から登録した求職者登録情報の中の最大通勤時間３７３ｂ及び優先移動手段３７３ｃの各情報について、求人情報の提供要求に当たり、考慮する必要があるか否かを求職者端末１０より別途設定することが可能となっている。さらに、求人情報の提供要求に当たり、希望する職種・エリアのほか、勤務時間、通勤時間、賃金額等の上限及び下限を別途設定することができる。
【００９２】
図１１は、求人者端末２０からの初期登録の実施例を示すフローチャートである。求人者端末２０から、求人情報提供サーバ及び求職情報提供サーバ３０にアクセスするためには、例えば、求人情報提供サーバ及び求職情報提供サーバ３０をアクセスするためのＵＲＬを指定してアクセスするとともに、予め決められたログインの操作を行う。
【００９３】
求人情報提供サーバ及び求職情報提供サーバ３０においては、求人者端末２０からアクセスがあると、例えば、初期登録に必要な情報を入力する画面情報を求人者端末２０に送出する（Ｉ２０１）。
【００９４】
求人者端末２０においては、求人情報提供サーバ及び求職情報提供サーバ３０から送出された入力画面を利用して、求人者登録情報の入力を行う。具体的には、例えば、求人者端末２０から、「求人者の名称」「所在地」「事業内容」等の求人者情報の入力が行われると、求人情報提供サーバ及び求職情報提供サーバ３０は、通信ネットワーク４０を経由して受領する（Ｉ２０２）。
【００９５】
求人情報提供サーバ及び求職情報提供サーバ３０は、受領した求人者情報を求人者（事業所）登録情報データベース３７１に記憶する（Ｉ２０３）。
【００９６】
図１２は、求人情報提供サーバ及び求職情報提供サーバ３０における求職者端末１０との処理の実施例を示すフローチャートである。まず、求人情報提供サーバ及び求職情報提供サーバ３０は、上述した初期登録の時と同様にログインの操作完了後に求職者端末１０から送出された求人情報提供要求を受領する（Ｓ１０１）。
【００９７】
求職者は、求職者端末１０で動作する本システム専用のアプリケーションを動作させることで、求職者端末１０のスケジュール情報管理部１８により、同端末に蓄積されているスケジュール関連情報１７を所定の時期にサーバへ送出し、当該スケジュール関連情報をスケジュール関連情報データベース３７４に記憶させるかどうかを任意に選択することが可能である（Ｓ１０２）。
【００９８】
当該スケジュール連動機能をＯＮにしている場合は、求人情報提供サーバ及び求職情報提供サーバ３０は、求人情報提供要求（Ｓ１０１）を行う。これと同時に、求職者端末１０からスケジュール関連情報を受領し、スケジュール関連情報データベース３７４に記憶する（Ｓ１０３）。
【００９９】
なお、スケジュール関連情報１７のデータの受け渡しは、上述したエクスポート機能を利用すれば良い。例えば、求職者端末１０で動作しているスケジュール情報管理部１８で管理されるスケジュール関連情報１７のファイル形式と互換性を有するＩＳＣ、ＣＳＶ等のファイル形式で行われる。
【０１００】
当該スケジュール連動機能をＯＦＦにしている場合は、求職者端末１０からスケジュール関連情報を受領しない。この場合、求職者が求職者登録情報データベース３７３に登録した「働けない時間帯」の情報等のスケジュール関連情報データベース３７４に記憶されたスケジュール関連情報を使用することになる。
【０１０１】
上述のステップの後、スケジュール関連情報データベース３７４に記憶されたスケジュール関連情報から、求職者の「空き時間帯」を判別して、スケジュール関連情報データベース３７４に記憶する（Ｓ１０４）。
【０１０２】
なお、本実施例では、サーバにおいて「空き時間帯」の判別を行うものとしているが、求職者端末１０のスケジュール管理機能（アプリケーション）や、Ｗｅｂカレンダーアプリケーションにおいて、「空き時間」の判別を行い、１つのスケジュール関連情報として、取り扱っても良い。この場合、求人情報提供サーバ及び求職情報提供サーバ３０は、当該スケジュール関連情報が「空き時間」であることを識別可能な形で受領し、スケジュール関連情報データベース３７４には、「空き時間」として登録を行う。したがって、図８に示すスケジュール情報構成のうち、区間３７４ｃのコードは空き時間帯を示す「１」を記憶する。
【０１０３】
次に、スケジュール関連情報データベース３７４の求職者の「空き時間帯」と、求人情報データベース３７２に記憶されている各求人の「求人時間帯」を比較する。「空き時間帯」が「求人時間帯」を包含する求人情報について、求人情報に一意に紐づけられた求人ＩＤ単位のレコードを抽出する（Ｓ１０５）。
【０１０４】
この時点で抽出条件に該当する求人情報が存在しない場合は、処理を終了するとともに、求職者端末１０に対して該当する求人情報が存在しない旨を通知する（Ｓ１０６）。
【０１０５】
抽出条件に該当する求人情報が存在する場合であって、求人事業所までの通勤時間を考慮して求人情報を抽出する場合は、前記抽出ステップ（Ｓ１０５）で抽出された求人ＩＤに対応する求人情報について、スケジュール関連情報データベース３７４に記憶されている求職者の空き時間帯の前後のスケジュール情報に対応する位置から、求人情報データベース３７２に記憶されている各求人事業所までの通勤時間を算出する（Ｓ１０８）。
【０１０６】
一方、抽出条件に該当する求人情報が存在する場合であって、求人事業所までの通勤時間を考慮して求人情報を抽出しない場合は、求職者端末１０に前記抽出ステップ（Ｓ１０５）で抽出された求人情報を後述の方法により送出する（Ｓ１０７・Ｓ１１１）。
【０１０７】
なお、自宅等の通勤拠点から所定移動時間内に通勤できる求人情報を出力する際に、通勤手段等を加味して所定の移動時間を決定する方法があり、詳細は、例えば、特開２００８−９０６１４号公報に開示されている手法により実現できる。
【０１０８】
また、求職者の最寄りの駅までの所要時間、交通機関における各駅間の所要時間、求人企業から最寄り駅までの所要時間のデータを蓄積し、移動時間を決定する方法があり、詳細は、例えば、特開２００２−２３０１３８号公報に開示されている手法により実現できる。
【０１０９】
自宅から求人事業所までの移動時間の算出については、上述の開示技術を用いる方法が考えられるが、出勤及び退勤の通勤手段に応じて異なる算出方法を用いても良い。
【０１１０】
例えば、通勤手段が公共交通機関の場合は、自宅から複数の最寄り駅等の所要時間、交通機関における発着地間の移動時間及び求人事業所から複数の最寄り駅等の所要時間のデータを蓄積し、その合計時間に基づいて通勤時間を算出する。また、通勤手段が徒歩、自転車及び自動車の場合は、通勤手段毎の移動速度を勘案した一定の単位を用いて、二地点間の距離に対応する所要の移動時間を算出することも可能である（後述のステップＳ２０５において同じ。）。
【０１１１】
次に、前記抽出ステップ（Ｓ１０５）で抽出された求人ＩＤに対応する求人情報について、スケジュール関連情報データベース３７４に記憶されている求職者の「空き時間帯」と求人情報データベース３７２に記憶されている「求人時間帯の前後に前記算出ステップ（Ｓ１０８）で算出した通勤時間を減算及び加算した時間帯」を比較し、「空き時間帯」が「求人時間帯の前後に通勤時間を減算及び加算した時間帯」を包含する求人情報を抽出する（Ｓ１０９）。
【０１１２】
この時点で抽出条件に該当する求人が存在しない場合は、処理を終了するとともに、求職者端末１０に対して該当する求人情報が存在しない旨を通知する（Ｓ１１０）。
【０１１３】
抽出条件に該当する求人が存在する場合は、求職者端末１０に前記抽出ステップ（Ｓ１０９）で抽出された求人情報を送出する（Ｓ１１１）。なお、求職者が操作する端末の画面に複数の求人情報が一覧表の形で表示可能となるように各求人情報の情報量を制限するのが良い。そのために、各求人情報の中から予め決められた情報を選択する。例えば、業務内容、就業場所、勤務時間、時給額、通勤時間等の重要な雇用条件に限定して送出することが望ましい。
【０１１４】
また、求人情報の一覧表は業務内容、勤務時間、通勤時間、時給額等の任意の雇用条件に応じて、求職者端末１０からの要求により並び替えて表示することも可能である。
【０１１５】
求職者端末１０の画面に表示された複数の求人情報の一覧表の中から、求職者の希望する求人が存在する場合、当該求人の表示領域を押下することで、求人情報詳細の提供要求が行われる（Ｓ１１２）。
【０１１６】
求職者端末１０から求人情報詳細の提供要求を受領した求人情報提供サーバ及び求職情報提供サーバ３０は、求職者端末１０に対し、求人情報データベース３７２に記憶されている該当する求人情報の詳細を送出する（Ｓ１１３）。
【０１１７】
なお、本実施例では、ステップ（Ｓ１０５）において、求職者の空き時間帯と求人時間帯を比較して、空き時間帯が求人時間帯を包含する求人情報を先に抽出するものとしている。そして、後続ステップ（Ｓ１０８・Ｓ１０９）において、先行ステップで抽出された求人情報を対象に、「求職者の空き時間帯」が「求人時間帯の前後に通勤時間を減算及び加算した時間帯」を包含する求人情報を再度抽出するものとしている。
【０１１８】
これは、求人情報の抽出（検索）の時間を短縮することを期待してのことであるが、当該先行ステップ（Ｓ１０５）を省略し、全ての登録求人の通勤時間を予め求めた上で、求人時間帯に通勤時間を加味した正味の所要時間と求職者の空き時間を比較する方法であっても良い。
【０１１９】
また、ステップ（Ｓ１０７）において、上述したように、求職者が最大通勤時間３７３ｂや優先移動手段３７３ｃの情報を利用しない設定を行うことも可能である。利用しない設定を行った場合には、空き時間帯と求人時間帯情報を比較して、空き時間帯が求人時間帯情報を包含する求人情報について、後続ステップ（Ｓ１０８・Ｓ１０９）の処理を省略して通勤時間を考慮せずに表示される。なお、この設定は求人情報を要求する毎に設定を変更することも可能である。
【０１２０】
図１３は、求人情報提供サーバ及び求職情報提供サーバ３０における求人者端末２０との処理の実施例を示すフローチャートである。求人情報提供サーバ及び求職情報提供サーバ３０は、上述した初期登録の時と同様にログインの操作完了後に求人者端末２０から送出された求職情報提供要求とともに、求人時間帯情報を含む求人情報を受領する（Ｓ２０１）。
【０１２１】
次に、スケジュール関連情報データベース３７４の求職者の「空き時間帯」と、求人者端末２０から受領した求人情報の「求人時間帯」を比較し、「求人時間帯」を包含する「空き時間帯」を有する求職情報を抽出する（Ｓ２０２）。
【０１２２】
この時点で抽出条件に該当する求職情報が存在しない場合は、処理を終了するとともに、求人者端末２０に対して該当する求職情報が存在しない旨を通知する（Ｓ２０３）。
【０１２３】
抽出条件に該当する求職情報が存在する場合であって、求人事業所までの通勤時間を考慮して求職情報を抽出する場合は、以下のように通勤時間を算出する。例えば、スケジュール関連情報データベース３７４に記憶されている求職者の空き時間帯の前後のスケジュール情報に対応する位置から、求人情報データベース３７２に記憶されている各求人事業所までの通勤時間を算出する（Ｓ２０５）。
【０１２４】
一方、抽出条件に該当する求職情報が存在する場合であって、求人事業所までの通勤時間を考慮して求職情報を抽出しない場合は、求人者端末２０に前記抽出ステップ（Ｓ２０２）で抽出された求職情報を後述の方法により送出する（Ｓ２０４・Ｓ２０８）。
【０１２５】
次に、スケジュール関連情報データベース３７４に記憶されている求職者の「空き時間帯」と求人者から受領した求人情報の「求人時間帯」を比較する。そして、「求人時間帯の前後に通勤時間を減算及び加算した時間帯」を包含する「空き時間帯」を有する求職情報を抽出する（Ｓ２０６）。
【０１２６】
この時点で抽出条件に該当する求職情報が存在しない場合は、処理を終了するとともに、求人者端末２０に対して該当する求職情報が存在しない旨を通知する（Ｓ２０７）。
【０１２７】
抽出条件に該当する求職情報が存在する場合は、求人者端末２０に前記抽出ステップ（Ｓ２０６）で抽出された求職情報（例えば、就労可能な求職者の人数等）を送出する（Ｓ２０８）。
【０１２８】
なお、本実施例では、ステップ（Ｓ２０２）において、求職者の空き時間帯と求人時間帯を比較して、求人時間帯を包含する空き時間を有する求職情報を先に抽出するものとしている。そして、後続ステップ（Ｓ２０５・Ｓ２０６）において、先行ステップで抽出された求職情報を対象に、「求人時間帯の前後に通勤時間を減算及び加算した時間帯」を包含する「空き時間帯」を有する求職情報を再度抽出するものとしている。
【０１２９】
これは、求職情報の抽出（検索）の時間を短縮することを期待してのことであるが、当該先行抽出ステップ（Ｓ２０２）を省略し、全ての求職情報の通勤時間を予め求めた上で、求人時間帯に通勤時間を加味した正味の所要時間と求職者の空き時間を比較する方法であっても良い。
【０１３０】
図１４は、図２に示す求職者端末１０の実施例のうち、スマートフォン等の多機能端末を求職者端末１０とした場合の詳細な構成例を示す図である。
【０１３１】
求職者端末５０は、外部との情報通信を行う通信インターフェース５１、プロセッサ（ＣＰＵ）５２、主記憶装置５３、表示装置５４、入力装置５５、出力装置５６及び補助記憶装置５７を有する。これらの装置が共通バスｂにより接続されている。
【０１３２】
例えば、表示装置５４は、図１７から図１９までにおいて後述するような画面構成を有し、当該画面に直接触れることにより、操作が可能な入力装置５５が設けられ、いわゆる、タッチパネルを構成する。なお、タッチパネルは、表示装置５４にタッチ操作検出用のセンサを備えた入力装置５５に関する公知技術によって実現可能であるが、これに限定されない。
【０１３３】
補助記憶装置５７には、プロセッサ（ＣＰＵ）５２が動作するためのプログラムが格納され、本発明における求人情報受領プログラム５７１が含まれている。
また、補助記憶装置５７には、求職者端末５０のスケジュール管理機能のためのスケジュール関連情報データベース５７２が設けられている。
【０１３４】
このスケジュール関連情報データベース５７２には、すべてのスケジュール関連情報が記憶される場合と、通信ネットワーク４０を介して図示しないＷｅｂサーバ上に記憶する場合のいずれであっても良い。
【０１３５】
図１５は、図１４に示す求人情報受領プログラム５７１の構成のうち、求人情報提供サーバ及び求職情報提供サーバ３０への初期登録を行うためのプログラムの処理フローチャートである。以下、求職者端末５０において求職者情報の初期登録を行う際の諸手順を実行するプログラムの処理について説明する。
【０１３６】
求職者端末５０のＷｅｂブラウザや上述の専用アプリケーション等によって、求人情報提供サーバ及び求職情報提供サーバ３０にアクセスするためには、例えばアクセスするためのＵＲＬを指定してアクセスするとともに、予め決められたログインの操作を行う。なお、専用アプリケーションは、ＩＤ及びパスワードを端末内に保存する機能を備えるものであっても良い。同機能を有効にすることで、ログイン時のＩＤ及びパスワードの入力を省略することが可能となる。
【０１３７】
ログイン操作が成功すると、求人情報提供サーバ及び求職情報提供サーバ３０より、例えば、初期登録に必要な情報を入力する画面情報が求職者端末５０に送信され、求職者端末５０の表示装置５４に表示される（Ｔ１０１）。
【０１３８】
求職者はこの入力画面を利用して、図７に示す「氏名」「住所」「希望職種」「各曜日の働けない時間帯の開始時刻及び終了時刻３７３ａ」「最大通勤時間３７３ｂ」「優先移動手段３７３ｃ」等の求職者情報の入力を行う（Ｔ１０２）。
【０１３９】
そして、求職者端末５０から送信指示を行うことにより、求人情報提供サーバ及び求職情報提供サーバ３０に送出することにより初期登録は完了する（Ｔ１０３）。
【０１４０】
図１６は、図１４に示す求人情報受領プログラム５７１の構成のうち、求人情報提供サーバ及び求職情報提供サーバ３０から、求人情報を受領するためのプログラムの処理フローチャートである。以下、求職者端末５０における求人情報の提供要求から求人情報の受領までの諸手順を実行するプログラムの処理について説明する。
【０１４１】
求職者端末５０が求人情報提供サーバ及び求職情報提供サーバ３０にアクセスするためには、初期登録時と同様、アクセスするためのＵＲＬを指定してアクセスするとともに、予め決められたログインの操作を行う。
【０１４２】
ログイン操作が成功すると、求職者端末５０は、まず、求人情報提供サーバ及び求職情報提供サーバ３０に対して、求職者端末５０から求人情報の提供要求を行う（Ｔ２０１）。
【０１４３】
その後、求職者端末５０において、スケジュール連動機能が設定されている場合には、例えば、求人情報提供サーバ及び求職情報提供サーバ３０より、求職者のスケジュール関連情報の送信要求を受領する。そして、当該送信要求に応答する形で、求職者端末５０のスケジュール関連情報データベース５７２より、図８に例示するスケジュール関連情報を求人情報提供サーバ及び求職情報提供サーバ３０に送出する（Ｔ２０２）。
【０１４４】
なお、スケジュール連動機能の設定については、例えば、図１５で示す初期登録時において、スケジュール連動機能を使うか否かを、求人情報提供サーバ及び求職情報提供サーバ３０に事前に通知することで実現できる。
【０１４５】
また、この例では、スケジュール関連情報が、求職者端末５０のスケジュール関連情報データベース５７２に記憶されている例の説明を行った。一方、スケジュール関連情報を図示しないＷｅｂサーバ上に記憶しておき、求職者端末５０からの「起動時の同期」、「自動同期」、「手動同期」等の指示操作に基づきスケジュール関連情報を取得する構成も可能である。
【０１４６】
すなわち、「ステップ（Ｔ２０１）において求人情報の提供要求を受けた時」、「求職者が設定する所定の時期（間隔）」、「求職者が指示操作を行った任意の時」等に、求人情報提供サーバ及び求職情報提供サーバ３０から図示しないＷｅｂサーバへアクセスし、例えば、インポート機能を使って求職者のスケジュール関連情報を取得しても良い。
【０１４７】
次に、求人情報提供サーバ及び求職情報提供サーバ３０より、求人情報を受領すると、後述する求職者端末５０の表示装置５４に求人情報を一覧表の形で表示する（Ｔ２０３）。
【０１４８】
この一覧表の形式で表示される求人情報については、求人情報提供サーバ及び求職情報提供サーバ３０から一定期間分の求人情報をまとめて受領し、図１８において後述するように、カレンダーにより指定された日の求人情報のみを表示するようにしても良い。また、図２に示す求職者端末１０又は図１４に示す求職者端末５０から特定の日が指定される都度、求人情報提供サーバ及び求職情報提供サーバ３０から当該一日分の求人情報を受領して表示するようにしても良い。
【０１４９】
ところで、一覧表の形式で表示される求人情報の内容については、提供する情報量を制限して一覧性を高めるため、業務内容、就業場所、勤務時間、時給額、通勤時間等の重要な雇用条件に限定して表示することが適当である。また、求人情報の一覧表は、業務内容、勤務時間、通勤時間、時給額等の任意の雇用条件に応じて、求職者端末５０からの要求により並び替えて表示しても良い。なお、このステップ（Ｔ２０３）においては、図１８で後述するように、カレンダーなどのその他の表示も制御する。
【０１５０】
次に、求職者端末５０の表示装置５４に表示された複数の求人情報の一覧表の中から、求職者の希望する求人が存在する場合、求職者は、当該求人情報の表示領域を押下する。
【０１５１】
そして、表示装置５４において、求職者が希望する求人情報の表示領域が押下されると、指定された求人情報の識別情報を求人情報提供サーバ及び求職情報提供サーバ３０に送出する（Ｔ２０４）。
【０１５２】
次に、求人情報提供サーバ及び求職情報提供サーバ３０から送信された求人情報の詳細を後述する図１９に示すように、表示装置５４に表示させる（Ｔ２０５）。
【０１５３】
図１７は、求人情報提供サーバ及び求職情報提供サーバ３０における図２の求職者端末１０又は図１４の求職者端末５０のログインページの画面表示例を示す図である。求職者は、画面（Ｏ１０１）中の求職者ＩＤとパスワードを入力してログインボタン（Ｏ１０１ａ）を押下することにより、ログインすると同時に図１２における求職者端末１０からの求人情報提供要求（Ｓ１０１）が行われる。
【０１５４】
図１８は、求人情報提供サーバ及び求職情報提供サーバ３０から送出される図２に示す求職者端末１０又は図１４に示す求職者端末５０の求人一覧表の画面表示例を示す図である。求職者は本画面（Ｏ１１０）上において、求人情報の一覧表を参照することが可能であり、求職者がログインを行った後に本画面（Ｏ１１０）に遷移する。
【０１５５】
同画面（Ｏ１１０）においては、図１６に示すステップ（Ｔ２０３）におけるプログラムにより、画面上段に、ログインした日の属する月のカレンダーを表示させても良い（Ｏ１１０ａ）。画面中段に、画面タッチにより選択した日のスケジュールを時系列に表示させる（Ｏ１１０ｂ）。画面下段に、求職者が同日に就労可能な複数の求人情報を一覧表の形式で表示させる（Ｏ１１０ｃ）。
【０１５６】
同図において、画面下段に一覧表の形式で表示されている複数の求人情報（Ｏ１１０ｃ）は、図１２のフローチャート記載の各ステップを経て、サーバで最終的に抽出（Ｓ１０８）された後、図２に示す求職者端末１０又は図１４に示す求職者端末５０に送出されたものである（Ｓ１１０）。
【０１５７】
画面上段（О１１０ａ）のカレンダーは、２０１８年３月８日の日付が選択され、同日に就労可能な求人情報が表示されている。ここで、当該カレンダー内の他の日、例えば、２０１８年３月９日の画面領域を押下すると、図２に示す求職者端末１０又は図１４に示す求職者端末５０から、２０１８年３月９日に関する求人情報の提供要求（Ｓ１０１・Ｔ２０１）が行われる。
【０１５８】
図２に示す求職者端末１０又は図１４に示す求職者端末５０からの求人情報提供要求に基づいて、サーバにおいて抽出が行われた後、当該求職者が２０１８年３月９日に就労可能な複数の求人情報が一覧表の形式で表示される（Ｓ１１１・Ｔ２０３）。
【０１５９】
なお、同画面上段（О１１０ａ）には、月単位の時間軸のカレンダーが表示されているが、週単位、日単位の時間軸で表示するものであっても良い。
【０１６０】
当該一覧表の形式で表示された求人情報は、図１２のステップ（Ｓ２０４）で説明したように、通勤時間を考慮せず、求人時間帯が求職者の空き時間帯に含まれるすべての案件を表示する場合もある。
【０１６１】
なお、上述したように、図２に示す求職者端末１０又は図１４に示す求職者端末５０からの条件設定により、図１２に記載のプロセスに入る前に一覧表の形式で表示される求人情報を予め限定して絞り込むことも可能である。
【０１６２】
また、求人情報が一覧表の形式で表示された後に条件設定を行い、一覧表の形式で表示される求人情報を事後的に限定して絞り込む方法であっても良い
【０１６３】
図１９は、求人情報提供サーバ及び求職情報提供サーバ３０から提供される図２に示す求職者端末１０又は図１４に示す求職者端末５０の求人詳細・応募ページの画面表示例を示す図である。
【０１６４】
求職者が図１８の画面下段に一覧表の形式で表示（Ｏ１１０ｃ）された求人情報の表示領域を押下することで、求人情報提供サーバ及び求職情報提供サーバ３０が当該求人情報の提供要求を受領する。これを受けて、求人情報提供サーバ及び求職情報提供サーバ３０は、図１２のフローチャート記載の抽出を行い、選択された求人情報の詳細情報を送出することにより、図２に示す求職者端末１０又は図１４に示す求職者端末５０において本画面（Ｏ１１２）に遷移する。
【０１６５】
同図において、求人情報の詳細情報を表示しており、求職者は右下の求人応募ボタン（Ｏ１１２ａ）から求人応募を行うことができる。
【０１６６】
このように、本発明によれば、求職者はログインページ（Ｏ１０１）におけるＩＤとパスワードの自動入力機能を有効にすることで、最短で３回のタッチ（クリック）操作をもって希望求人へ応募することが可能となる。
【０１６７】
以上、本発明の一実施形態について説明したが、本発明は前述のような特定の実施形態に限定されるものではなく、特許請求の範囲に記載された本発明の要旨の範囲内において、種々の改良・変更が可能である。
【０１６８】
また、本発明は、雇用関係による働き方のみならず、有期プロジェクトを中心とした請負契約や業務委託契約等の契約形態を含め、柔軟な働き方を望む多様な働き手や、業務の繁閑に応じた柔軟な人材活用を求める企業等によって、広範な場面において利活用され得るものであり、様々な実施形態が想定される。
【符号の説明】
【０１６９】
１            求人情報提供システム及び求職情報提供システム
１０          求職者端末
１１          入力部
１２          記憶部
１３          端末制御部
１４          送信部
１５          受信部
１６          出力部
１７          スケジュール関連情報
１８          スケジュール情報管理部
２０          求職者端末
２１          入力部
２２          記憶部
２３          端末制御部
２４          送信部
２５          受信部
２６          出力部
３０          求人情報提供サーバ及び求職情報提供サーバ
３１          通信インターフェース
３２          プロセッサ（ＣＰＵ）
３３          主記憶装置
３４          表示装置
３５          入力装置
３６          出力装置
３７          補助記憶装置
３７１        求人者（事業所）登録情報データベース
３７２        求人情報データベース
３７３        求職者登録情報データベース
３７４        スケジュール関連情報データベース
Ｂ            バス
４０          通信ネットワーク
５０          求職者端末（スマートフォン等多機能携帯端末）
５１          通信インターフェース
５２          プロセッサ（ＣＰＵ）
５３          主記憶装置
５４          表示装置
５５          入力装置
５６          出力装置
５７          補助記憶装置
５７１        求人情報受領プログラム
５７２        スケジュール関連情報データベース
ｂ            バス
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
少なくとも求人情報が格納された求人データベースを備え、前記求人情報を求職者が操作する端末で参照可能な形態で提供する求人情報提供サーバであって、
前記求人情報提供サーバは、
少なくとも前記求職者の働けない時間帯を含む求職者が登録する求職者登録情報を前記求職者が操作する端末を通じて受領して記憶する求職者登録情報記憶手段と、
前記求職者が操作する端末を通じて受領した前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、
を備え、
前記求職者が操作する端末の操作に応答して、求人情報の提供要求を受領し、
前記スケジュール関連情報記憶手段から前記就業可能時間帯を抽出し、前記求人データベースを参照して前記抽出された就業可能時間帯に対応する前記求人情報を抽出し、
前記抽出された求人情報について、前記求職者が操作する端末で参照可能な形態で送出する求人情報提供サーバ。
【請求項２】
前記スケジュール関連情報には各スケジュール情報に対応する前記求職者の位置をさらに含み、前記求人データベースより抽出される前記就業可能時間帯に対応する前記求人情報は、前記求職者の前記就業可能時間帯の前後の前記スケジュール情報に対応する前記求職者の位置に基づき算出された前記求職者の通勤時間を考慮して、前記求人データベースを参照することにより抽出することを特徴とする請求項１記載の求人情報提供サーバ。
【請求項３】
前記求職者登録情報記憶手段には、移動手段情報をさらに含み、前記通勤時間は、前記求職者の前記就業可能時間帯の前後の前記スケジュール情報に対応する前記求職者の前記位置並びに前記移動手段情報に基づいて決定されることを特徴とする請求項２記載の求人情報提供サーバ。
【請求項４】
前記求人データベースより抽出される前記就業可能時間帯に対応する前記求人情報は、前記スケジュール関連情報に基づき前記求人データベースを参照することにより抽出し、前記抽出された求人情報の範囲内において、前記求職者の前記通勤時間を考慮して、再度前記求人データベースを参照することにより抽出することを特徴とする請求項２又は請求項３記載の求人情報提供サーバ。
【請求項５】
少なくとも求人情報が格納された求人データベースを備え、端末側でスケジュール関連情報を登録して蓄積しているスケジュール管理機能を有する求職者が操作する端末を介して前記求人情報を求職者が参照可能な形態で提供する求人情報提供サーバであって、
前記求人情報提供サーバは、
少なくとも前記求職者の働けない時間帯を含む求職者が登録する求職者登録情報を前記求職者が操作する端末を通じて受領して記憶する求職者登録情報記憶手段と、
前記求職者が操作する端末を通じて受領した前記スケジュール管理機能により端末側に登録して蓄積された前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、
を備え、
前記求職者が操作する端末の操作に応答して、求人情報の提供要求を受領し、
前記スケジュール関連情報記憶手段から就業可能時間帯を抽出し、前記求人データベースを参照して前記抽出された就業可能時間帯に対応する前記求人情報を抽出し、
前記抽出された求人情報について、前記求職者が操作する端末で参照可能な形態で送出する求人情報提供サーバ。
【請求項６】
前記求職者が操作する端末で参照可能な形態で送出される前記求人情報は、前記求職者が操作する端末の画面に表示された選択された日を含むカレンダー情報とともに複数の求人情報が一覧表の形で表示可能となるように、各求人情報について予め決められた情報項目を選択することで、各求人情報の情報量を制限して送出することを特徴とする請求項１又は請求項５記載の求人情報提供サーバ。
【請求項７】
前記求職者が操作する端末で参照可能な形態で送出された求人情報の中から、前記求職者が選択した前記求人情報の識別情報を受領し、当該求人情報について一覧表の形で表示するために選択されなかった情報項目をさらに含む詳細情報を前記カレンダー情報が表示されていない前記求職者が操作する端末の画面で参照可能に送出することを特徴とする請求項６の求人情報提供サーバ。
【請求項８】
前記求職者の少なくとも一日における空き時間を含むスケジュール関連情報は、前記求職者が操作する端末においてスケジュール連動機能が設定されているときに、前記スケジュール管理機能に登録された前記スケジュール関連情報と同期して受領することを特徴とする請求項５記載の求人情報提供サーバ。
【請求項９】
少なくとも表示装置及びスケジュール管理機能を備え、求人情報が格納された求人データベースを有する求人情報提供サーバに接続されて求職者が操作する端末のコンピュータに、
少なくとも前記求職者の働けない時間帯を含む求職者登録情報を前記求職者の操作に従って前記求人情報提供サーバに登録する手順と、
前記求職者からの求人情報の提供要求を前記求人情報提供サーバに送出する手順と、
前記スケジュール管理機能により管理されている前記求職者の少なくとも一日における空き時間を含むスケジュール関連情報を、予め決められたファイル形式で前記求人情報提供サーバに提供する手順と、
前記求人情報提供サーバにおいて、前記求人情報提供サーバに登録した前記求職者の働けない時間帯と、前記求人情報提供サーバに提供された前記求職者の少なくとも一日における空き時間から前記求職者の就業可能時間帯を抽出し、前記求人データベースを参照して前記抽出された就業可能時間帯に対応する前記求人情報を受領する手順と、
前記求人情報提供サーバから受領した複数の求人情報を前記表示装置に一覧表の形で表示する手順と、
前記複数の求人情報の中から選択した求人情報の識別情報を前記求人情報提供サーバに送出する手順と、
前記求人情報提供サーバから送出された前記選択した求人情報に関する詳細情報を前記表示装置に表示する手順を実行させる求人情報受領プログラム。
【請求項１０】
前記求人情報受領プログラムによる、前記求職者からの求人情報の提供要求は、前記表示装置に表示されているカレンダー情報に基づき前記求人情報の提供を受けたい日の選択を受け付け、選択された日の求人情報を前記求人情報提供サーバに要求する手順を前記求職者が操作する端末のコンピュータに、さらに実行させることを特徴とする請求項９記載の求人情報受領プログラム。
【請求項１１】
少なくとも求職情報が格納された求職データベースを備え、前記求職情報を求人者が操作する端末で参照可能な形態で提供する求職情報提供サーバであって、
前記求職データベースは、
少なくとも求職者の働けない時間帯を含む求職者登録情報記憶手段と、
前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、
を備え、
前記求人者が操作する端末を通じて、前記求人者が参照したい求人時間帯情報を含む求職情報の提供要求を受領し、
前記求職者の少なくとも一日における就業可能時間帯を含むスケジュール関連情報が格納された求職データベースを参照して、前記求人時間帯情報に合致する前記就業可能時間帯情報が記憶された前記求職者に対応する前記求職情報を抽出し、
前記抽出された求職情報について、前記求人者が操作する端末で参照可能な形態で送出する求職情報提供サーバ。
【請求項１２】
前記スケジュール関連情報記憶手段には、各スケジュール情報に対応する前記求職者の位置をさらに含み、前記求職データベースより抽出される前記求人時間帯情報に合致する前記就業可能時間帯情報が記憶された前記求職情報は、前記求職者の前記就業可能時間帯の前後の前記スケジュール情報に対応する前記求職者の位置に基づき算出された前記求職者の通勤時間を考慮して、前記求職データベースを参照することにより抽出することを特徴とする請求項１１記載の求職情報提供サーバ。
【請求項１３】
前記求職者登録情報記憶手段には、移動手段情報をさらに含み、前記通勤時間は、前記求職者の前記就業可能時間帯の前後の前記スケジュール情報に対応する前記求職者の前記位置並びに前記移動手段情報に基づいて決定されることを特徴とする請求項１２記載の求職情報提供サーバ。
【請求項１４】
前記求職データベースより抽出される前記求人時間帯情報に対応する前記求職情報は、前記スケジュール関連情報に基づき前記求職データベースを参照することにより抽出し、前記抽出された求職情報の範囲内において、前記求職者の前記通勤時間を考慮して、再度前記求職データベースを参照することにより抽出することを特徴とする請求項１２又は請求項１３記載の求職情報提供サーバ。
【請求項１５】
求職者が操作する端末側でスケジュール関連情報を登録して蓄積しているスケジュール管理機能を備えた端末を通じて受領した求職情報が格納された求職データベースを備え、前記求職情報を求人者が操作する端末で参照可能な形態で提供する求職情報提供サーバであって、
前記求職データベースは、
少なくとも求職者の働けない時間帯を含む求職者登録情報記憶手段と、
前記求職者が操作する端末を通じて受領した前記スケジュール管理機能により端末側に登録して蓄積された前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、
を備え、
前記求人者が操作する端末を通じて、前記求人者が参照したい求人時間帯情報を含む求職情報の提供要求を受領し、
前記求職者の少なくとも一日における就業可能時間帯を含むスケジュール関連情報が格納された求職データベースを参照して、前記求人時間帯情報に合致する前記就業可能時間帯情報が記憶された前記求職者に対応する前記求職情報を抽出し、
前記抽出された求職情報について、前記求人者が操作する端末で参照可能な形態で送出することを特徴とする求職情報提供サーバ。
【請求項１６】
前記求職者の少なくとも一日における空き時間を含むスケジュール関連情報は、前記求職者が操作する端末側でスケジュール関連情報を登録して蓄積しているスケジュール管理機能と同期していることを特徴とする請求項１５記載の求職情報提供サーバ。
【手続補正２】
【補正対象書類名】明細書
【補正対象項目名】００２２
【補正方法】変更
【補正の内容】
【００２２】
上述した課題を解決し、目的を達成するために、本発明の求人情報提供サーバは、少なくとも求人情報が格納された求人データベースを備え、前記求人情報を求職者が操作する端末で参照可能な形態で提供する求人情報提供サーバであって、前記求人情報提供サーバは、少なくとも前記求職者の働けない時間帯を含む求職者が登録する求職者登録情報を前記求職者が操作する端末を通じて受領して記憶する求職者登録情報記憶手段と、前記求職者が操作する端末を通じて受領した前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、を備え、前記求職者が操作する端末の操作に応答して、求人情報の提供要求を受領し、前記スケジュール関連情報記憶手段から前記就業可能時間帯を抽出し、前記求人データベースを参照して前記抽出された就業可能時間帯に対応する前記求人情報を抽出し、前記抽出された求人情報について、前記求職者が操作する端末で参照可能な形態で送出することを特徴とする。
【手続補正３】
【補正対象書類名】明細書
【補正対象項目名】００２３
【補正方法】変更
【補正の内容】
【００２３】
また、本発明の求人情報提供サーバにおける前記スケジュール関連情報には各スケジュール情報に対応する前記求職者の位置をさらに含み、前記求人データベースより抽出される前記就業可能時間帯に対応する前記求人情報は、前記求職者の前記就業可能時間帯の前後の前記スケジュール情報に対応する前記求職者の位置に基づき算出された前記求職者の通勤時間を考慮して、前記求人データベースを参照することにより抽出することを一つの特徴とする。
【手続補正４】
【補正対象書類名】明細書
【補正対象項目名】００２４
【補正方法】変更
【補正の内容】
【００２４】
また、本発明の求人情報提供サーバにおける前記求職者登録情報記憶手段には、移動手段情報をさらに含み、前記通勤時間は、前記求職者の前記就業可能時間帯の前後の前記スケジュール情報に対応する前記求職者の前記位置並びに前記移動手段情報に基づいて決定されることを一つの特徴とする。
【手続補正５】
【補正対象書類名】明細書
【補正対象項目名】００２６
【補正方法】変更
【補正の内容】
【００２６】
さらに、本発明の求人情報提供サーバは、少なくとも求人情報が格納された求人データベースを備え、端末側でスケジュール関連情報を登録して蓄積しているスケジュール管理機能を有する求職者が操作する端末を介して前記求人情報を求職者が参照可能な形態で提供する求人情報提供サーバであって、前記求人情報提供サーバは、少なくとも前記求職者の働けない時間帯を含む求職者が登録する求職者登録情報を前記求職者が操作する端末を通じて受領して記憶する求職者登録情報記憶手段と、前記求職者が操作する端末を通じて受領した前記スケジュール管理機能により端末側に登録して蓄積された前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、を備え、前記求職者が操作する端末の操作に応答して、求人情報の提供要求を受領し、前記スケジュール関連情報記憶手段から就業可能時間帯を抽出し、前記求人データベースを参照して前記抽出された就業可能時間帯に対応する前記求人情報を抽出し、前記抽出された求人情報について、前記求職者が操作する端末で参照可能な形態で送出することを特徴とする。
【手続補正６】
【補正対象書類名】明細書
【補正対象項目名】００２７
【補正方法】変更
【補正の内容】
【００２７】
また、本発明の求人情報提供サーバにおける前記求職者が操作する端末で参照可能な形態で送出される前記求人情報は、前記求職者が操作する端末の画面に表示された選択された日を含むカレンダー情報とともに複数の求人情報が一覧表の形で表示可能となるように、各求人情報について予め決められた情報項目を選択することで、各求人情報の情報量を制限して送出することを特徴とすることを一つの特徴とする。
【手続補正７】
【補正対象書類名】明細書
【補正対象項目名】００２８
【補正方法】変更
【補正の内容】
【００２８】
また、本発明の求人情報提供サーバは、前記求職者が操作する端末で参照可能な形態で送出された求人情報の中から、前記求職者が選択した前記求人情報の識別情報を受領し、当該求人情報について一覧表の形で表示するために選択されなかった情報項目をさらに含む詳細情報を前記カレンダー情報が表示されていない前記求職者が操作する端末の画面で参照可能に送出することを一つの特徴とする。
【手続補正８】
【補正対象書類名】明細書
【補正対象項目名】００２９
【補正方法】変更
【補正の内容】
【００２９】
また、本発明の求人情報提供サーバにおける前記求職者の少なくとも一日における空き時間を含むスケジュール関連情報は、前記求職者が操作する端末においてスケジュール連動機能が設定されているときに、前記スケジュール管理機能に登録された前記スケジュール関連情報と同期して受領することを一つの特徴とする。
【手続補正９】
【補正対象書類名】明細書
【補正対象項目名】００３０
【補正方法】変更
【補正の内容】
【００３０】
さらに、本発明の求人情報受領プログラムは、少なくとも表示装置及びスケジュール管理機能を備え、求人情報が格納された求人データベースを有する求人情報提供サーバに接続されて求職者が操作する端末のコンピュータに、
少なくとも前記求職者の働けない時間帯を含む求職者登録情報を前記求職者の操作に従って前記求人情報提供サーバに登録する手順と、
前記求職者からの求人情報の提供要求を前記求人情報提供サーバに送出する手順と、
前記スケジュール管理機能により管理されている前記求職者の少なくとも一日における空き時間を含むスケジュール関連情報を、予め決められたファイル形式で前記求人情報提供サーバに提供する手順と、
前記求人情報提供サーバにおいて、前記求人情報提供サーバに登録した前記求職者の働けない時間帯と、前記求人情報提供サーバに提供された前記求職者の少なくとも一日における空き時間から前記求職者の就業可能時間帯を抽出し、前記求人データベースを参照して前記抽出された就業可能時間帯に対応する前記求人情報を受領する手順と、
前記求人情報提供サーバから受領した複数の求人情報を前記表示装置に一覧表の形で表示する手順と、
前記複数の求人情報の中から選択した求人情報の識別情報を前記求人情報提供サーバに送出する手順と、
前記求人情報提供サーバから送出された前記選択した求人情報に関する詳細情報を前記表示装置に表示する手順を実行させることを特徴とする。
【手続補正１０】
【補正対象書類名】明細書
【補正対象項目名】００３１
【補正方法】変更
【補正の内容】
【００３１】
また、本発明の前記求人情報受領プログラムによる、前記求職者からの求人情報の提供要求は、前記表示装置に表示されているカレンダー情報に基づき前記求人情報の提供を受けたい日の選択を受け付け、選択された日の求人情報を前記求人情報提供サーバに要求する手順を前記求職者が操作する端末のコンピュータに、さらに実行させることを一つの特徴とする。
【手続補正１１】
【補正対象書類名】明細書
【補正対象項目名】００３２
【補正方法】変更
【補正の内容】
【００３２】
さらに、本発明の求職情報提供サーバは、少なくとも求職情報が格納された求職データベースを備え、前記求職情報を求人者が操作する端末で参照可能な形態で提供する求職情報提供サーバであって、前記求職データベースは、少なくとも求職者の働けない時間帯を含む求職者登録情報記憶手段と、前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、を備え、前記求人者が操作する端末を通じて、前記求人者が参照したい求人時間帯情報を含む求職情報の提供要求を受領し、前記求職者の少なくとも一日における就業可能時間帯を含むスケジュール関連情報が格納された求職データベースを参照して、前記求人時間帯情報に合致する前記就業可能時間帯情報が記憶された前記求職者に対応する前記求職情報を抽出し、前記抽出された求職情報について、前記求人者が操作する端末で参照可能な形態で送出することを特徴とする。
【手続補正１２】
【補正対象書類名】明細書
【補正対象項目名】００３３
【補正方法】変更
【補正の内容】
【００３３】
また、本発明の求職情報提供サーバにおける前記スケジュール関連情報記憶手段には、各スケジュール情報に対応する前記求職者の位置をさらに含み、前記求職データベースより抽出される前記求人時間帯情報に合致する前記就業可能時間帯情報が記憶された前記求職情報は、前記求職者の前記就業可能時間帯の前後の前記スケジュール情報に対応する前記求職者の位置に基づき算出された前記求職者の通勤時間を考慮して、前記求職データベースを参照することにより抽出することを一つの特徴とする。
【手続補正１３】
【補正対象書類名】明細書
【補正対象項目名】００３４
【補正方法】変更
【補正の内容】
【００３４】
また、本発明の求職情報提供サーバにおける前記求職者登録情報記憶手段には、移動手段情報をさらに含み、前記通勤時間は、前記求職者の前記就業可能時間帯の前後の前記スケジュール情報に対応する前記求職者の前記位置並びに前記移動手段情報に基づいて決定されることを一つの特徴とする。
【手続補正１４】
【補正対象書類名】明細書
【補正対象項目名】００３６
【補正方法】変更
【補正の内容】
【００３６】
さらに、本発明の求職情報提供サーバは、求職者が操作する端末側でスケジュール関連情報を登録して蓄積しているスケジュール管理機能を備えた端末を通じて受領した求職情報が格納された求職データベースを備え、前記求職情報を求人者が操作する端末で参照可能な形態で提供する求職情報提供サーバであって、前記求職データベースは、少なくとも求職者の働けない時間帯を含む求職者登録情報記憶手段と、前記求職者が操作する端末を通じて受領した前記スケジュール管理機能により端末側に登録して蓄積された前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、を備え、前記求人者が操作する端末を通じて、前記求人者が参照したい求人時間帯情報を含む求職情報の提供要求を受領し、前記求職者の少なくとも一日における就業可能時間帯を含むスケジュール関連情報が格納された求職データベースを参照して、前記求人時間帯情報に合致する前記就業可能時間帯情報が記憶された前記求職者に対応する前記求職情報を抽出し、前記抽出された求職情報について、前記求人者が操作する端末で参照可能な形態で送出することを特徴とする。
【手続補正１５】
【補正対象書類名】明細書
【補正対象項目名】００３７
【補正方法】変更
【補正の内容】
【００３７】
また、本発明の求職情報提供サーバにおける前記求職者の少なくとも一日における空き時間を含むスケジュール関連情報は、前記求職者が操作する端末側でスケジュール関連情報を登録して蓄積しているスケジュール管理機能と同期していることを一つの特徴とする。
【手続補正１６】
【補正対象書類名】明細書
【補正対象項目名】００３８
【補正方法】変更
【補正の内容】
【００３８】
本発明は、求職者の端末による要求に応答して、スケジュール関連情報とは別に働けない時間帯を登録する機能を追加し、働けない時間帯とスケジュール関連情報とから就業可能時間帯を抽出することにより、スケジュール管理機能については、一般的なスケジュールの登録（実際に用事がある時だけその内容を登録）の仕方で使用しても、容易に就業可能時間帯を抽出可能としたので、抽出した就業可能時間帯に対応する、求人者が登録した求人情報（業務内容、時間帯、時給等）を提供するようにしたので、求人情報検索時の端末操作を大幅に軽減することが可能となる。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
少なくとも求人情報が格納された求人データベースを備え、前記求人情報を求職者が操作する端末で参照可能な形態で提供する求人情報提供サーバであって、
前記求人情報提供サーバは、
少なくとも前記求職者の働けない時間帯を含む求職者が登録する求職者登録情報を前記求職者が操作する端末を通じて受領して記憶する求職者登録情報記憶手段と、
前記求職者が操作する端末を通じて受領した前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、
を備え、
前記求職者が操作する端末の操作に応答して、求人情報の提供要求を受領し、
前記スケジュール関連情報記憶手段から前記就業可能時間帯を抽出し、前記求人データベースを参照して前記抽出された就業可能時間帯に対応する前記求人情報を抽出し、前記抽出された求人情報について、前記求職者が操作する端末で参照可能な形態で送出する求人情報提供サーバ。
【請求項２】
前記スケジュール関連情報には各スケジュール情報に対応する前記求職者の位置をさらに含み、前記求人データベースより抽出される前記就業可能時間帯に対応する前記求人情報は、前記求職者の前記就業可能時間帯の前後の前記スケジュール情報に対応する前記求職者の位置に基づき算出された前記求職者の通勤時間を考慮して、前記求人データベースを参照することにより抽出することを特徴とする請求項１記載の求人情報提供サーバ。
【請求項３】
前記求職者登録情報記憶手段には、移動手段情報をさらに含み、前記通勤時間は、前記求職者の前記就業可能時間帯の前後の前記スケジュール情報に対応する前記求職者の前記位置並びに前記移動手段情報に基づいて決定されることを特徴とする請求項２記載の求人情報提供サーバ。
【請求項４】
前記求人データベースより抽出される前記就業可能時間帯に対応する前記求人情報は、前記スケジュール関連情報に基づき前記求人データベースを参照することにより抽出し、前記抽出された求人情報の範囲内において、前記求職者の前記通勤時間を考慮して、再度前記求人データベースを参照することにより抽出することを特徴とする請求項２又は請求項３記載の求人情報提供サーバ。
【請求項５】
少なくとも求人情報が格納された求人データベースを備え、端末側でスケジュール関連情報を登録して蓄積しているスケジュール管理機能を有する求職者が操作する端末を介して前記求人情報を求職者が参照可能な形態で提供する求人情報提供サーバであって、
前記求人情報提供サーバは、
少なくとも前記求職者の働けない時間帯を含む求職者が登録する求職者登録情報を前記求職者が操作する端末を通じて受領して記憶する求職者登録情報記憶手段と、
前記求職者が操作する端末を通じて受領した前記スケジュール管理機能により端末側に登録して蓄積された前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、
を備え、
前記求職者が操作する端末の操作に応答して、求人情報の提供要求を受領し、
前記スケジュール関連情報記憶手段から就業可能時間帯を抽出し、前記求人データベースを参照して前記抽出された就業可能時間帯に対応する前記求人情報を抽出し、
前記抽出された求人情報について、前記求職者が操作する端末で参照可能な形態で送出する求人情報提供サーバ。
【請求項６】
前記求職者が操作する端末で参照可能な形態で送出される前記求人情報は、前記求職者が操作する端末の画面に表示された選択された日を含むカレンダー情報とともに複数の求人情報が一覧表の形で表示可能となるように、各求人情報について予め決められた情報項目を選択することで、各求人情報の情報量を制限して送出することを特徴とする請求項１又は請求項５記載の求人情報提供サーバ。
【請求項７】
前記求職者が操作する端末で参照可能な形態で送出された求人情報の中から、前記求職者が選択した前記求人情報の識別情報を受領し、当該求人情報について一覧表の形で表示するために選択されなかった情報項目をさらに含む詳細情報を前記カレンダー情報が表示されていない前記求職者が操作する端末の画面で参照可能に送出することを特徴とする請求項６の求人情報提供サーバ。
【請求項８】
前記求職者の少なくとも一日における空き時間を含むスケジュール関連情報は、前記求職者が操作する端末においてスケジュール連動機能が設定されているときに、前記スケジュール管理機能に登録された前記スケジュール関連情報と同期して受領することを特徴とする請求項５記載の求人情報提供サーバ。
【請求項９】
少なくとも表示装置及びスケジュール管理機能を備え、求人情報が格納された求人データベースを有する求人情報提供サーバに接続されて求職者が操作する端末のコンピュータに、
少なくとも前記求職者の働けない時間帯を含む求職者登録情報を前記求職者の操作に従って前記求人情報提供サーバに登録する手順と、
前記求職者からの求人情報の提供要求を前記求人情報提供サーバに送出する手順と、
前記スケジュール管理機能により管理されている前記求職者の少なくとも一日における空き時間を含むスケジュール関連情報を、予め決められたファイル形式で前記求人情報提供サーバに提供する手順と、
前記求人情報提供サーバにおいて、前記求人情報提供サーバに登録した前記求職者の働けない時間帯と、前記求人情報提供サーバに提供された前記求職者の少なくとも一日における空き時間から前記求職者の就業可能時間帯を抽出し、前記求人データベースを参照して前記抽出された就業可能時間帯に対応する前記求人情報を受領する手順と、
前記求人情報提供サーバから受領した複数の求人情報を前記表示装置に一覧表の形で表示する手順と、
前記複数の求人情報の中から選択した求人情報の識別情報を前記求人情報提供サーバに送出する手順と、
前記求人情報提供サーバから送出された前記選択した求人情報に関する詳細情報を前記表示装置に表示する手順を実行させる求人情報受領プログラム。
【請求項１０】
前記求人情報受領プログラムによる、前記求職者からの求人情報の提供要求は、前記表示装置に表示されているカレンダー情報に基づき前記求人情報の提供を受けたい日の選択を受け付け、選択された日の求人情報を前記求人情報提供サーバに要求する手順を前記求職者が操作する端末のコンピュータに、さらに実行させることを特徴とする請求項９記載の求人情報受領プログラム。
【請求項１１】
少なくとも求職情報が格納された求職データベースを備え、前記求職情報を求人者が操作する端末で参照可能な形態で提供する求職情報提供サーバであって、
前記求職データベースは、
少なくとも求職者の働けない時間帯を含む求職者登録情報記憶手段と、
前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、
を備え、
前記求人者が操作する端末を通じて、前記求人者が参照したい求人時間帯情報を含む求職情報の提供要求を受領し、
前記求職者の少なくとも一日における就業可能時間帯を含むスケジュール関連情報が格納された求職データベースを参照して、前記求人時間帯情報に合致する前記就業可能時間帯が記憶された前記求職者に対応する前記求職情報を抽出し、
前記抽出された求職情報について、前記求人者が操作する端末で参照可能な形態で送出する求職情報提供サーバ。
【請求項１２】
前記スケジュール関連情報記憶手段には、各スケジュール情報に対応する前記求職者の位置をさらに含み、前記求職データベースより抽出される前記求人時間帯情報に合致する前記就業可能時間帯が記憶された前記求職情報は、前記求職者の前記就業可能時間帯の前後の前記スケジュール情報に対応する前記求職者の位置に基づき算出された前記求職者の通勤時間を考慮して、前記求職データベースを参照することにより抽出することを特徴とする請求項１１記載の求職情報提供サーバ。
【請求項１３】
前記求職者登録情報記憶手段には、移動手段情報をさらに含み、前記通勤時間は、前記求職者の前記就業可能時間帯の前後の前記スケジュール情報に対応する前記求職者の前記位置並びに前記移動手段情報に基づいて決定されることを特徴とする請求項１２記載の求職情報提供サーバ。
【請求項１４】
前記求職データベースより抽出される前記求人時間帯情報に対応する前記求職情報は、前記スケジュール関連情報に基づき前記求職データベースを参照することにより抽出し、
前記抽出された求職情報の範囲内において、前記求職者の前記通勤時間を考慮して、再度前記求職データベースを参照することにより抽出することを特徴とする請求項１２又は請求項１３記載の求職情報提供サーバ。
【請求項１５】
求職者が操作する端末側でスケジュール関連情報を登録して蓄積しているスケジュール管理機能を備えた端末を通じて受領した求職情報が格納された求職データベースを備え、前記求職情報を求人者が操作する端末で参照可能な形態で提供する求職情報提供サーバであって、
前記求職データベースは、
少なくとも求職者の働けない時間帯を含む求職者登録情報記憶手段と、
前記求職者が操作する端末を通じて受領した前記スケジュール管理機能により端末側に登録して蓄積された前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、
を備え、
前記求人者が操作する端末を通じて、前記求人者が参照したい求人時間帯情報を含む求職情報の提供要求を受領し、
前記求職者の少なくとも一日における就業可能時間帯を含むスケジュール関連情報が格納された求職データベースを参照して、前記求人時間帯情報に合致する前記就業可能時間帯が記憶された前記求職者に対応する前記求職情報を抽出し、
前記抽出された求職情報について、前記求人者が操作する端末で参照可能な形態で送出することを特徴とする求職情報提供サーバ。
【請求項１６】
前記求職者の少なくとも一日における空き時間を含むスケジュール関連情報は、前記求職者が操作する端末側でスケジュール関連情報を登録して蓄積しているスケジュール管理機能と同期していることを特徴とする請求項１５記載の求職情報提供サーバ。
【手続補正２】
【補正対象書類名】明細書
【補正対象項目名】００３２
【補正方法】変更
【補正の内容】
【００３２】
さらに、本発明の求職情報提供サーバは、少なくとも求職情報が格納された求職データベースを備え、前記求職情報を求人者が操作する端末で参照可能な形態で提供する求職情報提供サーバであって、前記求職データベースは、少なくとも求職者の働けない時間帯を含む求職者登録情報記憶手段と、前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、を備え、前記求人者が操作する端末を通じて、前記求人者が参照したい求人時間帯情報を含む求職情報の提供要求を受領し、前記求職者の少なくとも一日における就業可能時間帯を含むスケジュール関連情報が格納された求職データベースを参照して、前記求人時間帯情報に合致する前記就業可能時間帯が記憶された前記求職者に対応する前記求職情報を抽出し、前記抽出された求職情報について、前記求人者が操作する端末で参照可能な形態で送出することを特徴とする。
【手続補正３】
【補正対象書類名】明細書
【補正対象項目名】００３３
【補正方法】変更
【補正の内容】
【００３３】
また、本発明の求職情報提供サーバにおける前記スケジュール関連情報記憶手段には、各スケジュール情報に対応する前記求職者の位置をさらに含み、前記求職データベースより抽出される前記求人時間帯情報に合致する前記就業可能時間帯が記憶された前記求職情報は、前記求職者の前記就業可能時間帯の前後の前記スケジュール情報に対応する前記求職者の位置に基づき算出された前記求職者の通勤時間を考慮して、前記求職データベースを参照することにより抽出することを一つの特徴とする。
【手続補正４】
【補正対象書類名】明細書
【補正対象項目名】００３６
【補正方法】変更
【補正の内容】
【００３６】
さらに、本発明の求職情報提供サーバは、求職者が操作する端末側でスケジュール関連情報を登録して蓄積しているスケジュール管理機能を備えた端末を通じて受領した求職情報が格納された求職データベースを備え、前記求職情報を求人者が操作する端末で参照可能な形態で提供する求職情報提供サーバであって、前記求職データベースは、少なくとも求職者の働けない時間帯を含む求職者登録情報記憶手段と、前記求職者が操作する端末を通じて受領した前記スケジュール管理機能により端末側に登録して蓄積された前記求職者の少なくとも一日における空き時間を含むスケジュール関連情報と、前記求職者登録情報記憶手段に記憶された前記求職者の働けない時間帯とより、前記求職者の少なくとも一日のうちの就業可能時間帯を識別可能に記憶するスケジュール関連情報記憶手段と、を備え、前記求人者が操作する端末を通じて、前記求人者が参照したい求人時間帯情報を含む求職情報の提供要求を受領し、前記求職者の少なくとも一日における就業可能時間帯を含むスケジュール関連情報が格納された求職データベースを参照して、前記求人時間帯情報に合致する前記就業可能時間帯が記憶された前記求職者に対応する前記求職情報を抽出し、前記抽出された求職情報について、前記求人者が操作する端末で参照可能な形態で送出することを特徴とする。